(57)【要約】特許請求する主題は、無線通信環境におけるローミングのシステムおよび方法に関するものである。一態様ではネットワーク間でローミングを行う方法が提供される。この方法は、在圏網においてネットワークアクセスを求める要求を受け取ることと、要求に応答してホーム網からプロファイルを受け取ることを含む。プロファイルを受け取り次第、プロファイルの少なくとも一部に基づいて、１以上のアクセス端末に選択的にサービスが提供される。
2009536006.tif 000002
【特許請求の範囲】
【請求項１】
ネットワーク間でローミングを行う方法であって、
在圏網においてネットワークアクセスの要求を受け取ることと、
前記要求に応答してホーム網からプロファイルを受け取ることと、
前記プロファイルの少なくとも一部に基づいて１以上のアクセス端末に選択的にサービスを提供すること、
を備える方法。
【請求項２】
前記サービスはサービス品質（ＱｏＳ）パラメータに関連するものである請求項１に記載の方法。
【請求項３】
前記在圏網は前記プロファイルに対して変更、削除、または追加を行う請求項１に記載の方法。
【請求項４】
前記在圏網は前記プロファイルからのサービスのサブセットを選択的に提供する請求項３に記載の方法。
【請求項５】
前記在圏網は前記プロファイルで指定されている以上の追加サービスを提供する請求項３に記載の方法。
【請求項６】
前記ホーム網からアクセス権限付与を受け取り次第前記プロファイルを受け取ることをさらに備える請求項１に記載の方法。
【請求項７】
ホーム網の一部として仮想ホーミング構成要素を用いることをさらに備える請求項１に記載の方法。
【請求項８】
前記仮想ホーミング構成要素は移動体仮想網事業者（ＭＶＮＯ）と関連付けられている請求項７に記載の方法。
【請求項９】
前記仮想ホーミング構成要素はローミングサービスと共に用いられる請求項８に記載の方法。
【請求項１０】
在圏網上またはホーム網上の機器のための認証および許可を行うことをさらに備える請求項１に記載の方法。
【請求項１１】
前記プロファイルは、加入者間、または所与の加入者によって許可されているアプリケーションサービス間のサービス差別化を提供する請求項１に記載の方法。
【請求項１２】
ＸＭＬサービス記述に従って前記プロファイルを変更することをさらに備える請求項１に記載の方法。
【請求項１３】
前記プロファイルは、トラヒックフローに属するものとしてのパケットの識別と関連付けられているＱｏＳパラメータ、トラヒックフローのトラヒック調整と関連付けられているパラメータ、トラヒックフローの待ち行列／スケジューリングと関連付けられているパラメータ、または、アクセスノードがトラヒックフローのサービスを提供するのに適したＱｏＳ構成を決定することを可能にする前記トラヒックフローを特徴付けるパラメータを含む請求項１に記載の方法。
【請求項１４】
ホーム網構成要素と関連付けられており、在圏網構成要素によって変更可能であり、ローミングアクセス端末にサービスを提供するのに用いられる、１以上のサービスと関連付けられたプロファイルを受け取る命令を保持するメモリと、
前記命令を実行するプロセッサと、
を備える通信装置。
【請求項１５】
前記在圏網構成要素は前記ホーム網構成要素と関連付けられた認証許可サーバとやりとりする認証許可サーバを含む請求項１４に記載の通信装置。
【請求項１６】
前記プロファイルは前記ホーム網構成要素から生成されたサービス品質（ＱｏＳ）データセットと関連付けられている請求項１４に記載の通信装置。
【請求項１７】
前記ＱｏＳデータセットは、複数のトラヒックフローと関連付けられた待ち時間、複数のトラヒックフローと関連付けられた最低データ転送速度、および複数のトラヒックフローと関連付けられた最高データ転送速度のうちの１以上に関連するものである請求項１６に記載の通信装置。
【請求項１８】
ホーム網から生成される加入者プロファイルを受け取る手段と、
前記加入者プロファイルを変更する手段と、
一部は前記変更された加入者プロファイルに基づいてサービスを提供する手段と、
を備える通信装置。
【請求項１９】
前記加入者プロファイルを変更する前記手段は、前記プロファイルからのサービスを追加し、または削除することをさらに備える請求項１８に記載の通信装置。
【請求項２０】
アクセス端末からネットワークサービスの要求を受け取ることと、
前記要求を考慮して在圏網構成要素においてプロファイルを受け取ることと、
前記プロファイルを分析して前記要求を処理するのに利用可能なサービスを決定すること、
の各機械実行可能命令を格納している機械可読媒体。
【請求項２１】
前記利用可能なサービスを考慮して前記プロファイルを変更することをさらに備える請求項２０に記載の機械可読媒体。
【請求項２２】
前記プロファイルを変更することは、前記プロファイルにサービスを追加すること、前記プロファイルからサービスを削除すること、または前記プロファイル内のパラメータを編集することをさらに備える請求項２１に記載の機械可読媒体。
【請求項２３】
在圏網アクセス要求を考慮して加入者プロファイルを要求することと、
前記加入者プロファイルを使用して、前記プロファイルによるサービスを前記プロファイルのサブセットとして、または前記プロファイルのスーパーセットとして選択的に提供すること、
の各命令を実行するプロセッサ。
【請求項２４】
ネットワーク間でローミングを行う方法であって、
ホーム網においてネットワークアクセスを求めるプロファイル要求を受け取ることと、
前記プロファイル要求に応答して前記ホーム網から前記プロファイルを送信することと、
前記プロファイルを送信するときに前記ホーム網からアクセス権限付与信号を生成すること、
を備える方法。
【請求項２５】
前記プロファイルはサービス品質（ＱｏＳ）パラメータに関連するサービスを含む請求項２４に記載の方法。
【請求項２６】
前記プロファイルに対してサービスの変更、削除、または追加を行うことをさらに備える請求項２４に記載の方法。
【請求項２７】
前記ホーム網の一部として仮想ホーミング構成要素を用いることをさらに備える請求項２４に記載の方法。
【請求項２８】
前記仮想ホーミング構成要素は移動体仮想網事業者（ＭＶＮＯ）と関連付けられている請求項２７に記載の方法。
【請求項２９】
前記仮想ホーミング構成要素はローミングサービスと共に用いられる請求項２８に記載の方法。
【請求項３０】
ＸＭＬサービス記述に従って前記プロファイルを生成することをさらに備える請求項２４に記載の方法。
【請求項３１】
ホーム網構成要素と関連付けられており、サービス記述構成要素によって変更可能であり、ローミングアクセス端末にサービスを提供するのに用いられる、１以上のサービスと関連付けられたプロファイルを生成する命令を保持するメモリと、
前記命令を実行するプロセッサと
を備える通信装置。
【請求項３２】
前記サービス記述構成要素はＸＭＬスキーマ構成要素を含む請求項３１に記載の通信装置。
【請求項３３】
前記プロファイルは前記ホーム網構成要素から生成されたサービス品質（ＱｏＳ）データセットと関連付けられている請求項３１に記載の通信装置。
【請求項３４】
ホーム網から加入者プロファイルを生成する手段と、
前記加入者プロファイルへの変更を可能にするために前記プロファイルに注釈を付ける手段と、
前記ホーム網へのアクセス権限を付与する手段と、
を備える通信装置。
【請求項３５】
アクセス端末要求に応答してホーム網においてネットワークサービスを求めるプロファイル要求を受け取ることと、
前記プロファイル要求を考慮してプロファイルを生成することと、
前記ホーム網からアクセス権限が付与され次第前記プロファイルを送信すること、
の各機械実行可能命令を格納している機械可読媒体。
【請求項３６】
在圏網アクセス要求を考慮して加入者プロファイルを生成することと、
前記プロファイルによるサービスの選択的提供を円滑に行わせるために、ホーム網以外のネットワークに使用可能な加入者プロファイルの変更を可能にすること、
の各命令を実行するプロセッサ。
【発明の詳細な説明】
【技術分野】
【０００１】
（関連出願の相互参照）
本出願は、参照により本明細書に組み込まれる、２００６年８月１４日に出願された、「ネットワークアクセスサブシステムの方法および装置（A Method and Apparatus for Network Access Subsystem）」という名称の米国仮特許出願第６０／８３７，６５６号、２００６年５月１日に出願された、「加入者サービスフレームワークの方法および装置（A Method and Apparatus for Subscriber Service Framework）」という名称の米国仮特許出願第６０／７９６，７０４号、２００６年５月１日に出願された、「加入者プロファイルを使って加入者を許可する方法および装置（A method and Apparatus for Using Subscriber Profile to Authorize Subscriber）」という名称の米国仮特許出願第６０／７９７，０１０号、２００６年５月１日に出願された、「ＦＬＡＳＨネットワークにおけるサービス品質の方法および装置（A Method and Apparatus for Quality of Service in a Flash Network）」という名称の米国仮特許出願第６０／７９７，０２９号、２００６年５月１日に出願された、「ＦＬＡＳＨシステムの方法および装置（A Method and Apparatus for Flash System）」という名称の米国仮特許出願第６０／７９６，８０８号、２００６年５月１日に出願された、「接続制御プロトコルの方法および装置（A Method and Apparatus for Connection Control Protocol）」という名称の米国仮特許出願第６０／７９７，０３８号、および２００６年５月１日に出願された、「移動度認識リソース制御（A Method and Apparatus for Mobility Aware Resource Control）」という名称の米国仮特許出願第６０／７９６，６５３号の利益を主張するものである。
【０００２】
以下の説明は、一般に通信システムに関し、より詳細には、ネットワーク間でのローミング(roaming)時にサービスをサポートするためのプロファイル変更を可能にすることに関する。
【背景技術】
【０００３】
無線通信網、広帯域網、および他の適切なネットワークといった通信網は、データの転送と関連して利用され、この場合データは、文書処理ファイル、ストリーミング映像、マルチメディアファイル、音声データなどを含むことができる。このようなネットワークを使用するときには、ネットワークの加入者によっては他の加入者とは異なるサービス品質（ＱｏＳ）パラメータが提供されることもある。一例によれば、第１の個人はディジタル加入者線（ＤＳＬ）網に加入しており、この個人には第１のアップロード速度およびダウンロード速度が提供され、他方、ＤＳＬ網に加入している第２の個人は第１の個人と異なる契約料金を支払い、第２の個人には、異なるアップロード速度およびダウンロード速度が提供される。より具体的には、第１の加入者は１メガバイト／秒のダウンロード接続速度に第１の料金を支払い、第２の加入者は５１２キロバイト／秒のダウンロード接続速度に第２の料金を支払う。
【０００４】
加えて、ネットワークのユーザに異なるサービスを提供することもできる。例えば、無線網加入者は、ウェブ閲覧、テキストメッセージ配信および受信、音声通話、データ送信（映像、画像、音声クリップなど）、ゲーム等々を使用可能にする加入契約を購入することができる。様々なサービスに対応するアプリケーションフローの配信要件が異なるため、様々なサービスのトラヒックフローを異なるＱｏＳパラメータ（待ち時間、帯域幅など）と関連付けることが望ましいこともある。従来からの通信網は比較的小規模なサービスセットしかサポートしていないが、インターネットプロトコルに基づく新しい通信網は、潜在的に無制限のサービスセットを可能にする。これはサービスの制御および関連するＱｏＳサポートの管理に際して改善の必要を顕在化させる。
【０００５】
通信網の中にはローミング機能をサポートするものがあり、この場合加入者は、加入者が加入しているホーム網とは管理者の異なる在圏網(visited network)を介してアクセス権限を得る。従来方式では、このような場合、在圏網とホーム網は類似の技術に基づいており、よって在圏網は単にこの加入者に、加入者のホーム網によって提供されるサービスを利用させるにすぎない。しかし、新しい通信網においてより多数の異なるサービスが潜在的に異なる技術に基づくネットワーク間のローミングを可能にしようとする要望と結びつく可能性を考えると、サービスのローミングをより柔軟に制御する必要が生じる。
【発明の開示】
【発明の概要】
【０００６】
以下に、特許請求する主題のいくつかの態様の基本的な理解を提供するための簡略化した概要を示す。この概要は網羅的概観ではなく、主要な／不可欠な要素を識別するためのものでも、特許請求する主題の範囲を正確に叙述するためにものでもない。この概要の唯一の目的は、後述するより詳細な説明の前置きとして、いくつかの概念を簡略化した形で提示することである。
【０００７】
ネットワーク間のローミングは、アクセス端末がホーム網から在圏網にローミングするときに交換される変更可能なプロファイルによって円滑化される。移動アクセス端末がローミングによりホーム網以外のネットワークと連絡を取るとき、（端末から見た）在圏網は、ホーム網が提供するはずのサービスを記述するプロファイルを要求することができる。このプロファイルは、ホーム網からサービスのためのアクセス権限付与を受け取り次第、在圏網に送ることができる。プロファイルを受け取った後、在圏網は、プロファイルで指定されている類似のサービス、プロファイルで指定されているサービスのサブセットを選択的に提供することもでき、かつ／またはプロファイルで本来指定されているサービスに加えてサービスのスーパーセットを提供することもできる。よって、プロファイルを変更することができ、ホーム網によって本来指定されているサービスに追加または削除を行うことができる。サービスは、帯域幅、待ち時間、損失許容度などといった複数の異なる通信考慮事項に関連するサービス品質考慮事項を含むことができる。在圏網またはドメインにプロファイルを変更させることにより、条件が変化するに従って、通信機能を動的に拡大または縮小するができる。
【０００８】
上記および関連する目的の達成のために、本明細書では、以下の説明および添付の図面と関連していくつかの態様を説明する。しかし、これらの態様は特許請求する主題の原理が用いられる様々なやり方のうちのいくつかを示すにすぎず、特許請求する主題は、かかるすべての態様およびこれらの態様の均等物を含むものである。他の利点および新規の特徴は、以下の詳細な説明を図面と併せて考察すれば明らかになるであろう。
【詳細な説明】
【０００９】
無線通信網においてローミングを円滑に行わせるシステムおよび方法が提供される。一態様では、ネットワーク間でローミングを行う方法が提供される。この方法は、在圏網においてネットワークアクセスを求める要求を受け取ることと、要求に応答してホーム網からプロファイルを受け取ることとを含む。プロファイルを受け取り次第、プロファイルの少なくとも一部に基づいて１以上のアクセス端末に選択的にサービスが提供される。プロファイルは、在圏網によって、ホーム網によって本来指定されているのと類似のサービス、これらのサービスのサブセット、および／またはこれらのサービスのスーパーセットを提供するように変更され得る。
【００１０】
さらに、本明細書では、端末と関連する様々な態様を説明する。端末は、システム、ユーザ機器、加入者ユニット、加入者局、移動局、モバイル機器、遠隔局、遠隔端末、アクセス端末、ユーザ端末、ユーザエージェント、またはユーザ装置と呼ぶこともできる。ユーザ機器は、セルラ電話機、コードレス電話機、セッション開始プロトコル（ＳＩＰ）電話機、無線ローカルループ（ＷＬＬ）局、ＰＤＡ、無線接続機能を有するハンドヘルド機器、端末内のモジュール、ホスト機器に取り付け、またはホスト機器に内蔵させることのできるカード（ＰＣＭＣＩＡカードなど）または無線モデムに接続された他の処理装置とすることができる。
【００１１】
さらに、特許請求する主題の態様は、特許請求する主題の様々な態様を実施するようにコンピュータまたはコンピュータ構成部品を制御するためのソフトウェア、ファームウェア、ハードウェア、またはこれらの任意の組み合わせを製造する標準的なプログラミングおよび／または工学技術を使用する方法、装置、または製造品として実施され得る。本明細書で使用する「製造品」という用語は、任意のコンピュータ可読装置、搬送波、または媒体からアクセス可能なコンピュータプログラムを包含するためにものである。例えば、コンピュータ可読媒体には、それだけに限らないが、磁気記憶装置（ハードディスク、フロッピー（登録商標）ディスク、磁気ストリップなど）、光ディスク（コンパクトディスク（ＣＤ）、ディジタル多用途ディスク（ＤＶＤ）など）、スマートカード、およびフラッシュメモリ装置（カード、スティック、キードライブなど）が含まれ得る。加えて、搬送波を用いて、音声メールを送受信する際に、またはセルラ網などのネットワークにアクセスする際に使用されるようなコンピュータ可読電子データを搬送することもできることを理解すべきである。当然ながら、本明細書で説明する発明の精神または範囲を逸脱することなく、この構成に多くの改変が加えられ得ることを当業者は理解するであろう。
【００１２】
次に図１を参照すると、システム１００には無線網における通信を円滑化するローミングのためのプロファイル変更が示されている。無線端末１０２（ホストともいう）は、在圏網またはドメイン１０６とも通信状態にあるアクセスノード１０４とやりとりし、この場合在圏網は、無線またはアクセス端末がホーム網１１０によるサービス提供からローミングする際に遭遇するものである。また、アクセスノード１０４は在圏網またはドメイン１０６の一部とみなすこともできることが分かる。また、アクセスノード１０４は基地局またはアクセスルータとも呼ばれ、以下でより詳細に説明するような、サービス要求の認証、サービスの許可、セッションの確立などといったサービスのために在圏網１０６に含まれる様々なノード、要素、および／またはシステムを用いる。最初に、在圏網１０６は、無線端末１０２からネットワークアクセスを求める要求を受け取る。無線端末１０２が利用できるサービスを決定するためのホーム網１１０との何らかのハンドシェークの後、ホーム網によってアクセス権限付与１１４が生成され、要求に応答してホーム網からサービスを記述するプロファイル１２０が送信される。
【００１３】
プロファイル１２０を受け取ると、在圏網１０６は、受け取ったプロファイル１２０の少なくとも一部に基づいて、１以上のアクセス端末に選択的にサービスを提供することができる。以下でより詳細に説明するように、プロファイルで指定されるサービスは、個々の無線端末、および在圏網１０６への要求によって確立される通信セッションのサービス品質（ＱｏＳ）パラメータに関連するものとすることができる。一態様では、在圏網１０６は、プロファイル１２０のサービスを処理し、変更し、削除し、または追加する。これは、在圏網１０６がプロファイル１２０からのサービスのサブセットを選択的に提供し、かつ／またはプロファイルで指定されている以外の追加サービスを提供することを可能にする。プロファイル変更を可能にすることにより、在圏網は、現在のリソース条件または他の考慮事項に基づいて在圏網の提供内容を動的に適応させることができる。
【００１４】
一態様において、システム１００は、ローミング時、例えば、ホーム事業者のネットワーク１１０ではなく在圏のネットワークを介してアクセス権限を得るときに、加入者、および／または加入者機器１０２と関連付けられるサービスおよびサービス品質（ＱｏＳ）サポートを制御することができる。このようなローミングシナリオでは、１１０のホーム事業者によって定義されるサービスおよびＱｏＳサポートが在圏事業者のネットワーク１０６において選択的にサポートされ、在圏事業者が、必要に応じて、追加の、かつ／または代替のサービスおよびＱｏＳサポートを提供する柔軟性を有することが望ましい。
【００１５】
別の態様によれば、加入者プロファイル１２０は、ホーム網１１０の認証許可サーバ（ＡＡＳ）などから在圏網ＡＡＳに送られるアクセス権限付与メッセージ１１４に含めることができる。プロファイル１２０は別のネットワーク構成要素間で交換されてもよいことを理解すべきである。続いて、アクセス権限付与メッセージ１１４が生成され、加入者プロファイル１２０が、例えば、在圏ＡＡＳから、加入者機器１０２がアクセスを要求しているアクセスノード１０４などに送られる。加入者プロファイル１２０は、１以上のＱｏＳパラメータの構成を規定し、かつ／または、後で行われる、加入者間および／もしくは所与の加入者による使用が許可されている様々なアプリケーションサービス間のサービス差別化を提供するのに必要とされるようなＱｏＳ構成変更のための事前許可情報を含む。
【００１６】
ホームＡＡＳまたは他のネットワーク構成要素によって提供される加入者プロファイル１２０は、在圏網１０６内の１以上の構成要素、例えば、在圏ＡＡＳおよび／またはアクセスノードなどによって変更され得る。よって、在圏網事業者は、サービスを追加、変更、または削除するなど、在圏事業者のネットワーク１０６で提供されるサービスと一致するように加入者プロファイル１２０を変更することができる。プロファイル１２０への変更を可能にすることにより、システム１００は、ローミング時にサービスおよびＱｏＳを制御する際の柔軟性を可能にする。これは、加入者サービスを変更させること、例えば、在圏網事業者に追加、変更、削除させることなどを可能にする。また、在圏網１０６においてプロファイルを変更するこの手法は、ＸＭＬ（または他の構造）を使って加入者プロファイル１２０におけるサービスを定義するという柔軟性のために、提供されるサービス定義を発展させることも可能にする。
【００１７】
端末１０２は、例えば、ＳＤカード、ネットワークカード、無線網カードといったモジュール、（ラップトップ、デスクトップ、携帯情報端末（ＰＤＡ）を含む）コンピュータ、携帯電話、スマートフォン、またはネットワークにアクセスするのに利用できる他の任意の適切な端末などとすることができる。端末１０２はアクセスノード１０４を介してネットワークにアクセスする。例えば、端末１０２は、イーサネット（登録商標）ケーブル、ＵＳＢ接続などといった有線接続を介してアクセスノード１０４に通信可能な方法で結合することができる。別の例では、端末１０２とアクセスノード１０４の間の接続を無線によるものとすることができ、この場合アクセスノード１０４は基地局であり端末１０２は無線端末である。例えば、端末１０２とアクセスノード１０４は、それだけに限らないが、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または他の任意の適切なプロトコルを含む任意の適切な無線プロトコルによってやりとりする。
【００１８】
端末１０２と同様に、アクセスノード１０４も、有線網または無線網と関連付けられたアクセスノードとすることができる。このためには、アクセスノード１０４は、例えば、ルータ、スイッチなどとすることができる。アクセスノード１０４は、他のネットワークノードとやりとりするための、通信モジュールなど、１以上のインターフェースを含むことができる。加えて、アクセスノード１０４は、セルラ型ネットワークにおける基地局（または無線アクセスポイント）とすることもでき、この場合基地局（または無線アクセスポイント）は、複数の加入者に無線カバレージエリアを提供するのに使用される。このような基地局（または無線アクセスポイント）は、１以上のセルラ電話機および／または他の無線端末に連続したカバレージエリアを提供するように配置され得る。
【００１９】
前述のように、システム１００は、１０６と１１０とに認証許可サーバ（ＡＡＳ）を含むこともでき、これは、端末１０２がアクセスノード１０４を使用し、ネットワークを介してデータを送信／受信することができるようにするのに役立つ。ＡＡＳ１０６は、別個のエンティティとして図示されているが、アクセスノード１０４内に含まれていてもよいことが分かる。認証／許可に関して、端末１０２は、アクセスノード１０４を介してＡＡＳ１０６にこのような端末１０２および／または端末１０２と関連付けられた加入者の識別情報を示すデータを提供することができる。アクセスノード１０４は、識別データを変更なしでＡＡＳ１０６に中継することもでき、任意の適切なデータフォーマット／プロトコルに従ってこのようなデータを変更することもできる。識別指示を受け取ると、ＡＡＳ１０６は、端末／加入者識別情報を認証し、端末１０２（および／または加入者）に１以上のサービスが許可されるかどうか判定することができる。
【００２０】
認証／許可のプロセスは、端末１０２、アクセスノード１０４、および／またはＡＡＳ１０６の間での１以上の信号の交換を含んでいてもよく、実施形態によっては含む。端末１０２および／または端末１０２と関連付けられた加入者にサービスが許可される場合、ＡＡＳ１０６は、端末１０２（または関連付けられた加入者）に割り当てられている変更されたプロファイルをアクセスノード１０４に中継することができ、このプロファイルは、少なくとも、端末１０２に関連する１以上のトラヒックフローと関連付けられたＱｏＳパラメータの記述を含み、データフローを（パケットヘッダおよび／またはパケットペイロードの検査に基づいて識別されるなどの）一連の関連するデータパケットとして定義することができる。また、プロファイル１２０は、データパケットのトラヒックフローへの関連付け、および規定のＱｏＳ処理のいくつかのトラヒックフローおよび／またはデータパケットへの関連付けを円滑に行わせるフィルタ規則も含むことができる。一例によれば、このようなパケットが音声データに関連することを示すヘッダを有するデータパケットを総称してトラヒックフローと呼ぶことができる。同様に、このようなパケットが映像データに関連することを示すデータパケットを別のトラヒックフローとすることもできる。
【００２１】
アクセスノード１０４は、プロファイルを受け取ると、受け取ったプロファイル内に記述されているＱｏＳ処理を監視し、実行することができる。例えば、記述されているＱｏＳ処理と関連して利用され得るパラメータは、トラヒックフローと関連付けられる許容待ち時間に関するものなどであり、アクセスノード１０４は、ＡＡＳ１０６から提供されたプロファイル内に記述されている許容待ち時間を維持するようにトラヒックフローに関するスケジューリングを実行することができる。受け取られるプロファイル内の他のＱｏＳパラメータは、特定のトラヒックフロー型に対する最低許容データ転送速度、特定のトラヒックフロー型に対する最高許容データ転送速度などに関するものとすることができる。このようなパラメータは、数値として定義することもでき（例えば、第１のトラヒックフロー型に対する最低データ転送速度が１２８Ｋｂ／秒であるなど）、かつ／または相対的に定義することもできる（例えば、第１のトラヒックフロー型に対する待ち時間を第２のトラヒックフロー型対する待ち時間１／２とすべきであるなど）。さらに、パラメータの定義は、ある一定の（１以上の）システムおよびネットワーク状態を条件とすることもできる。一例では、特定のパラメータは、閾値に到達するまでは相対的に定義され、これ以後は数値として定義される（例えば、第１のトラヒックフローに対する最低データ転送速度は、第２のトラヒックフローの２倍の大きさとすべきであるが、１メガバイト／秒を上回ってはならないなど）。
【００２２】
加えて、ＡＡＳ１０６からアクセスノード１０４に提供されるプロファイルは、プロファイルに含まれるオブジェクトインスタンスをサポートし、これによってプロファイル内のパラメータ定義の重複を低減させることができる。例えば、端末１０２に関して使用が許可されているゲーム用アプリケーションが、このようなアプリケーションをサポートするのに３つの並列なトラヒックフローを使用し得るものとする。各トラヒックフローごとにパラメータを定義するのではなく、単一のトラヒックフローについて定義を作成し、かかる定義のインスタンスを関連するトラヒックフローに利用することができる。さらに、プロファイルは（分類などの）フィルタ規則を含むことができ、個々のトラヒックフローを識別し、トラヒックフローに割り当てるべきＱｏＳ処理を決定するインスタンスとこのトラヒックフローを関連付けることに関連してフィルタ規則を用いることができる。アクセスノード１０４は、プロファイルを受け取ると、プロファイルおよび事前許可データセット１２０で規定されているように端末１０２にＱｏＳ処理を提供するように構成され得る。よって、アクセスノード１０４は、様々なトラヒックフローおよび複数のユーザに対して異なるＱｏＳ処理を提供し、これによってシステム性能およびユーザ経験を高めることができる。
【００２３】
次に図２を参照すると、ローミング時に変更可能なプロファイルデータを用いることのできる例示的ネットワークアクセスシステム２００が示されている。説明を進める前に、システム２００に示す構成要素およびプロトコルは本来例示のためのものであり、図示する構成要素より多い、または少ない構成要素を用いることもでき、かつ／または図示する以外のプロトコルを利用することもできることに留意されたい。システム２００は、２２０のＦＬＡＳＨエアインターフェースを介して基地局（ＢＳ）２１６に接続される無線端末（ＷＴ）２１０を含む。ＢＳ２１６はネットワークリンクを介してローカル認証許可（ＡＡＬ）サーバ２２４とやりとりする。ＡＡＬ２２４は移動体網サーバ（ＭＮＳ）の一部として設けることができる。ＡＡＬ２２４は、ホームＡＡサーバ（ＡＡＨ）２３０や外部ＡＡサーバ（ＡＡＦ）２３４といった他のＡＡサーバとやりとりする。ホーム網２４０は、ＷＴ２１０の本来のサービス設定記録を含むＡＡサーバ２３０によってサービス提供を受けることができる。ローカルまたは在圏網２４４はＷＴ２１０が偶然ネットワーク接続を行うネットワークである。
【００２４】
ＷＴ２１０が（地理的位置により）ホーム網２４０に直接接続しようとする場合、ホーム網への接続は、例えば、（図２に示すものとは異なり）すべてホーム網内に位置するＢＳ、ＭＮＳ／ＡＡＬ、およびＡＡＨの間の通信を含むはずである。ローミング時には（図２に示すように）ＷＴ２１０は在圏網にとってローカルであり、ローミング時以外にはホーム網２４０にとってローカルであることが分かる。また、システム２００には、ネットワークアクセスを制御するときに用いられる以下の例示的プロトコルも示されている。これらのプロトコルには、接続制御プロトコル（ＣＣＰ）、セキュアアソシエーションプロトコル（ＳＡＰ）、リモートダイヤルインユーザサービス（ＲＡＤＩＵＳ）プロトコル、および／または拡張可能認証プロトコル（ＥＡＰ）が含まれ得る。理解されるように、他のプロトコルを使ってネットワークアクセスを制御することもできる。
【００２５】
次に図３と図４をまとめて参照すると、２段階の認証プロトコルが示されている。一例では、１つまたは２つの異なる拡張可能許可プロトコル（ＥＡＰ）法を使ってネットワークアクセスのための２つの認証段階を用いることができる。図３に示す第１の段階は、基地局３３０とローカルネットワークＡＡサーバ（ＡＡＬ）３４０を介した、無線端末（ＷＴ）３１０とホーム網ＡＡサーバ（ＡＡＨ）３２０の間の認証を含む。第２の段階では、図４に示すように、ＷＴ３１０とローカルネットワークＡＡサーバ３４０の間の認証を行う。この２段階認証手順は、一般に、ＷＴ３１０がこれのホーム事業者網内に位置するか、それとも別の事業者網でローミングしているかにかかわらず行われる。ＷＴ３１０は、これのＡＡＨ３２０とは無関係であるＡＡＬ３４０によってローカルでサービス提供を受けるものと期待される。２段階認証は、スケーラブルなローミングを可能にすると共に、当該ネットワークがホームであれ在圏であれ、ローカル網における主要な資材およびサービスの適正な取り扱いを可能にする。ＥＡＰの２つの段階は相互に独立とすべきである。言い換えると、各段階において異なる機構が用いられてもよく、ＷＴ３１０とＡＡサーバ３２０、３４０との相互認証を行うこともできる。
【００２６】
図３に示す第１の認証段階において、ＡＡＬ３４０はＲＡＤＩＵＳプロキシとして働く。他の認証プロトコルも用いられ得ることを理解すべきである。第２の段階ではＷＴ３１０とローカル網（ＡＡＬサーバ）３４０の間の認証行い、図４に示すようにＡＡＨは関与しない。ローカル網との認証である第２の段階を加えることにより、ＷＴ３１０がローカルで信頼を確立することが可能になる。ローカル網は外部事業者のネットワーク（すなわちホーム事業者以外）の一部とすることも、ホーム事業者の管理ドメインの一部とすることもできる。ローカルでの信頼確立は、ＡＡＦ／ＡＡＨを（ＷＴがローミングしているか否かにかかわらず）ローカル移動度の影響から遮蔽するため、ＡＡＬ３４０を他のプロトコルのための信頼される第３者として使用することを可能にするため、およびより高度の加入者識別情報の秘とく性を提供するためを含むいくつかの理由で用いることができる。
【００２７】
ローカル網との認証段階は加入者匿名性サポートを可能にする。ＡＡＬ３４０はＷＴ３１０に一時的識別子を割り振り、この一時的識別子は、エアインターフェースを「リッスンする」ことにより、ＷＴの永続的識別子にリンクされない。これは、一部には、一時的なＷＴ識別子がＷＴ３１０に確実に送られ、機密性を保証するために設定されている機構によるものである。この場合、ＷＴ３１０はこの一時的識別子を、このローカル網において後でネットワークアクセス権限を得るのに使用することもでき、ＷＴがホーム網内にあった場合に必要とされる別のホスト構成目的で使用することもできる。信頼を確立すること加えて、プロファイルは、さらにサービスを定義するために交換することもできる。
【００２８】
次に図５を見ると、本明細書で述べる１以上の態様による例示的プロファイル５００が示されている。プロファイル５００は、加入者（特定の移動端末）による使用が許されているサービスの態様を規定するパラメータの論理的まとまりである。しかし、プロファイル５００内のフィールド／要素は変更することができ、本発明の特許請求の範囲に従う限りにおいて、例えば、各要素がどのようにして規定されるかを変更することもでき、論理的配置を変更することもでき、要素の数を変更することもでき、要素の名前を変更することもできることが分かる。プロファイル５００は、ＦＬＡＳＨサービス要素５０２と関連付けることができ、ＦＬＡＳＨサービス要素５０２は、ＦＬＡＳＨエアインターフェースを含むエアインターフェースなどのインターフェースを介して接続を確立し、維持することと関連付けられるパラメータの論理的まとまりである。ＦＬＡＳＨサービス要素５０２は場所制約要素５０４と関連付けることができ、場所制約要素５０４は、加入者にサービスでのアクセス権限を付与するための場所（または接続点）を規定するパラメータの集合である。プロファイル５００内に場所制約要素５０４が含まれるときには、場所制約要素５０４内に含まれる要素が規定するようにアクセスを制限することができる。場所制約要素５０４が含まれないことは、アクセスが規定の場所のリストに限定されず、ローミング契約など別の手段によって制限され得ることを示すものである。
【００２９】
プロファイル５００は、さらに、ネットワーク要素５０６を含むことができ、ネットワーク要素５０６は、サービスのために加入者（端末）にアクセス権限を付与するための特定のネットワークと関連付けられるパラメータの集合とすることができる。アクセス権限は指示されるネットワークのセットだけに制限することができ、必要に応じて、他のネットワークを介して付与させないこともできる。ネットワーク要素５０６はネットワーク識別子要素５０８と関連付けることができ、ネットワーク識別子要素５０８は、加入者にサービスでのアクセス権限を付与するためのネットワークのグローバルに一意の識別子とすることができる。ネットワーク要素５０６は、さらに、ゾーン要素５１０と関連付けることができ、ゾーン要素５１０は、加入者にサービスでのアクセス権限を付与するためのネットワーク内の特定のゾーンと関連付けられるパラメータの集合として定義することができる。ネットワーク内のアクセス権限はゾーン要素５１０内で指示されるゾーンのセットだけに制限することができる。ゾーン要素５１０を含まないことにより、ネットワーク識別子要素５０８内で指示されるネットワーク内のアクセス権限が規定のゾーンのセットだけに制限されないことを示すことができる。
【００３０】
ゾーン要素５１０はゾーン識別子要素５１２に関連付けることができ、ゾーン識別子要素５１２は、加入者にサービスでのアクセス権限を付与するためのネットワーク内のゾーンのローカルで一意の識別子とすることができる。また、ゾーン要素５１０は基地局要素５１４と関連付けることもでき、基地局要素５１４は、加入者にサービスでのアクセス権限を付与するための（ネットワークのゾーン内の）特定の基地局またはアクセスノードと関連付けられるパラメータの集合として定義することができる。ゾーン内のアクセス権限は、基地局要素５１４内の指示される基地局のセットだけに制限することができる。基地局要素５１４を含まないことにより、指示されるゾーン内のアクセス権限が特定の基地局のセットに限定されないことを示すことができる。
【００３１】
基地局要素５１４は基地局識別子５１６と関連付けることができ、基地局識別子５１６は、加入者にサービスでのアクセス権限を付与するためのネットワークのゾーン内の基地局のローカルで一意の識別子とすることができる。基地局要素５１４は、さらに、リンク要素５１８と関連付けることもでき、リンク要素５１８は、加入者にサービスでのアクセス権限を付与するための（ネットワークのゾーン内の識別される基地局に対応する）特定のリンクと関連付けられるパラメータの集合とすることができる。例えば、基地局を介したアクセス権限をリンク要素５１８内で規定されるリンクのセットだけに制限することができ、プロファイル内にリンク要素５１８を含まないことにより、対応する基地局を介したアクセス権限が特定のリンクのセットだけに制限されないことを示すことができる。
【００３２】
リンク要素５１８は論理リンク制御識別子要素５２０と関連付けることができ、論理リンク制御識別子要素５２０は、加入者にサービスでのアクセス権限を付与するためのネットワークのゾーン内の基地局に対応するリンクのローカルで一意の識別子とすることができる。また、リンク要素５１８は接続要素５２２と関連付けることもでき、接続要素５２２は、加入者にサービスでのアクセス権限を付与するための特定の接続と関連付けられるパラメータの集合である。例えば、あるリンクを介するアクセス権限を指示される接続のセットだけに制限することができる。接続要素を含まないことにより、対応するリンクを介したアクセス権限が規定される接続のセットだけに制限されないことを示すことができる。よって、特定のリンクを介したアクセス権限がさらに制約されない場合、プロファイル５００内に接続要素５２２を含まないことが望ましい。接続要素５２２は接続識別子要素５２４と関連付けることができ、接続識別子要素５２４は、加入者にサービスでのアクセス権限を付与するためのネットワークのゾーン内のリンクおよび基地局に対応する接続のローカルで一意の識別子とすることができる。
【００３３】
プロファイル５００は、さらに、場所更新間隔要素５２６も含むことができ、場所更新間隔要素５２６は、無線端末が例えば「休眠」モードなどにある間に無線端末によって場所更新が実行されるべきである、連続する時間的インスタンスの間の（秒単位などの）期間とすることができる。監視間隔要素５２８は「休眠」モードにある間に無線端末によって呼び出しの監視が行われるべきである、連続する時間的インスタンスの間の（ミリ秒単位などの）期間を示すことができる。プロファイル５００はさらに（以下で詳細に説明する）サービスセット要素５３０を含むことができ、サービスセット要素５３０は、サービスを使用可能にし、制御することに関連するサービスおよび加入者サービスの論理データ構成のセットを含むことができる。このような要素５３０は、特定の端末（無線端末など）と関連付けられるいくつかのトラヒックフローに関連するＱｏＳパラメータを含むことができる。また、要素５３０は、アクセスノードからの動的サービス品質構成のための事前許可テンプレートまたはデータも含む。ＱｏＳパラメータを含むプロファイルを構成する情報は、ＸＭＬを使って伝達することができ、この情報の、データ型、フォーマット、および／または値制限などの構造および他の特性は、関連するＸＭＬスキーマによって定義することができる。
【００３４】
次に図６を参照して、（図５のサービスセット要素５３０のような）例示的サービスセット要素６００を図示し、説明する。しかし、このような要素は、単に、一例として示すものにすぎず、図の要素および／または要素間の論理的関連は、特許請求する主題に従って、削除、変更することも保持することもできることを理解すべきである。ＱｏＳの定義および制御は、サービスセット要素６００内の２つのデータ構成、すなわちサービスクラス要素６０２と加入者サービス要素６０４のデータ構成の少なくとも一部に基づくことができる。「加入者」サービス要素として図示されているが、このような要素は、無線端末などの加入者機器に関連付けることもできることが分かる。よって、加入者サービス要素は、端末の指示の識別および／または加入者の指示の識別の結果としてプロファイル内に含めることもできる。提供されるべきサービスに応じて、プロファイルにはこれらのデータ構造のどちらかまたは両方が複数存在していてもよい。サービスクラス要素６０２（データ構成）は、特定のサービスクラスのインスタンスと関連付けられるトラヒックフローのＱｏＳ処理を規定する共通の機構を提供することができる。例えば、ホスト機器に／ホスト機器から提供されるパケットは１以上のトラヒックフローに分類され、所与のトラヒックフローは、特定のアプリケーションに対応する特定のパケットストリームだけを含むこともあり、複数のアプリケーションに対応するパケットストリームの集合を含むこともある。
【００３５】
次いで、識別された各トラヒックフローを、１以上のサービスクラス要素（６０２）のインスタンスと関連付けることができる。各識別トラヒックフローの関連サービスクラスは、ホスト機器および／またはアクセスノード（アクセスルータ、基地局など）のアドミッション制御、スケジューリング、およびトラヒック調整機能のための基礎を提供することができる。サービスクラス要素６０２はＱｏＳ処理に関連し得るが、サービスセット要素６００は、ポリシ制御（サービスの許可など）およびサービス定義（パラメータ値の設定、識別されたトラヒックフローとＱｏＳをサポートするための特定のサービスクラスのインスタンスとの関連付けなど）に関連し得る。各サービスセット要素はゼロ以上のサービスクラス要素およびゼロ以上の加入者サービス要素を含むことができる。
【００３６】
次に図７を見ると、（図６に示すサービスクラス要素６０２のような）例示的サービスクラス要素が示されている。この場合もやはり、サービスクラス要素７００は、プロファイル内のＱｏＳ処理を定義する１つの特定の方式の一例として示すものである。プロファイル内のＱｏＳ処理を定義する別の方式も発明者らによって企図されており、添付の特許請求の範囲の範囲内に含まれるものである。サービスクラス要素７００はサービスクラス識別子７０２を含むことができ、サービスクラス識別子７０２は定義されるサービスクラスのグローバルに一意の（３２ビットなどの）識別子とすることができ、ｘとｙを、それぞれ、サービスクラス識別子７０２の第１のビット数（接頭部）と第２のビット数（接尾部）に対応する１６進値とし得る表記ｘ：ｙを使って表わすことができる。例えば、特定の事業者または標準機構によって定義されるサービスクラスのセットは、共通のサービスクラス識別子接頭部を利用することができる。
【００３７】
また、サービスクラス要素７００は、アドミッション優先度要素７０４も含むことができる。専用リソースの割り振りを必要とする配信目標を規定しているサービスクラス（最低速度および／または待ち時間限度を規定するサービスクラスなど）では、アドミッション優先度要素７０４が、リソース割り振りのアドミッション制御決定を行うためにこのようなサービスクラスの相対的順序を指示する。アドミッション優先度の具体的用法は実施ごとに異なっていてもよく、可能な用法には、保留中のリソース割り振り要求の優先度待ち行列および／またはリソース割り振りの優先使用順位が含まれる。
【００３８】
最高速度要素７０６は、特定のサービスクラスのインスタンスと関連付けられるトラヒックフローに提供され得る最高データ転送速度を指示することができる。最高速度要素７０６はさらに、トークン速度要素７０８およびバケット深さ要素７１０内で記述されるような、トークンバケットパラメータによって定義することができる。トークン速度要素７０８は、キロビット／秒単位（キロは１０００を表す）とすることができ、バケット深さ要素７１０は、例えばバイト単位などとすることができる。
【００３９】
最低速度要素７１２は、サービスクラスのインスタンスと関連付けられるトラヒックフローに提供されるべき目標最低データ転送速度を指示することができる。最低速度要素７１２はさらに、トークン速度要素７１４、バケット深さ要素７１６、ピーク速度要素７１８、最小規制単位要素７２０、および最大パケットサイズ要素７２２によって定義することができる。トークン速度要素７１４およびピーク速度要素７１８は、キロビット／秒単位（キロは１０００を表す）とすることができ、バケット深さ要素７１６、最小規制単位要素７２０、および最大パケットサイズ要素７２２はバイト単位とすることができる。
【００４０】
共用重み要素７２４は、あるサービスクラスのインスタンスと関連付けられるトラヒックフローが、サービスを求めて別のサービスクラスインスタンスと関連付けられるトラヒックフローと競合するときに受け取るべきサービスの相対的割合（速度やリソースなど）を指示するのに利用することができる。よって、受け入れられたすべてのサービスクラスインスタンスの配信目標（最低速度および／または待ち時間限度）が満たされた後で、残りのサービス容量があれば、（最高速度を指示するなどによって）通常は制限されない競合するサービスクラスインスタンスの間で、各インスタンスに対応する共用重みに比例して分配される必要がある。
【００４１】
待ち時間許容度要素７２６は、あるサービスクラスのインスタンスと関連付けられるトラヒックフローに属するパケットの許容アクセスリンク待ち時間を指示し、アクセスリンク待ち時間は、待ち行列、スケジューリング、および伝送と関連付けられる遅延を含む。このサービスクラスのインスタンスと関連付けられるトラヒックフローに属するパケットは、高い確率で、指示される許容度を下回る待ち時間を有するアクセスリンクを介して配信されるはずである。一例として、待ち時間許容度要素７２６はミリ秒単位と関連付けることができる。
【００４２】
損失許容度要素７２８は、あるサービスクラスのインスタンスと関連付けられるトラヒックフローに属するパケットの損失の許容される確率を指示することができ、損失源には、待ち行列管理および回復不能な伝送誤差が含まれる。識別されるサービスクラスのインスタンスと関連付けられるトラヒックフローに属するパケットは、指示される許容度を下回る損失確率を有するアクセスリンクを介して配信されるはずである。損失許容度要素７２８は、例えば、１００，０００パケット当たりの損失パケット数に関連するデータなどを含むことができる。差別化サービス（ＤＳ）コードポイント７３０は、識別されるサービスクラスのインスタンスと関連付けられるトラヒックフロー内のパケットがこれを用いてマークされるべきであるＤＳコードポイントを指示することができる。
【００４３】
圧縮ヒント要素７３２は、サービスクラスの特定のインスタンスと関連付けられるトラヒックフローに属するパケットにヘッダ圧縮を適用できる可能性が高いことを指示することができる。圧縮ヒント要素７３２は、適用できる圧縮の種類および／または圧縮に必要なパラメータを決定するのに役立つ情報を含むことができる。
【００４４】
図８を参照して、（図６の加入者サービス要素６０４のような）例示的加入者サービス要素８００を図示し、説明する。この場合もやはり、要素８００は、サービスを定義する１つの具体的方式として示すものである。サービスを定義する他の方式も発明者らによって企図されており、添付の特許請求の範囲内に含まれるものである。加入者サービス要素８００は加入者サービス識別子要素８０４を含むことができ、加入者サービス識別子要素８０４は、ある加入者サービスのグローバルに一意の識別子とすることができ、ｘとｙを、それぞれ、加入者サービス識別子要素８０４の最初のビットセット（接頭部）と最後のビットセット（接尾部）に対応する１６進値とし得る表記ｘ：ｙを使って表わすことができる。特定の事業者または規格団体によって定義される加入者サービスのセットは共通の加入者サービス識別子接頭部を使用することができる。領域要素８０６は、加入者サービスが関連付けられているドメインを指示することができ、領域要素８０６を含まないことによって、加入者サービスがローカルドメインと関連付けられていることを示すことができる。これは、様々なネットワーク事業者間でのローミング時にサービスをより適切に制御するための基礎を提供する。
【００４５】
加入者サービス要素８００はポリシ決定点（ＰＤＰ）識別子要素８１０を含むことができる。ＰＤＰ識別子要素８１０は、特定の加入者サービスと関連付けられるＱｏＳ構成変更要求に使用されるべきＰＤＰの、ＩＰアドレスやホスト名といった識別子とすることができる。加入者サービス要素８００はさらに、対応するアクセスリンクを介してアクセスルータから加入者にトラヒックを出す（egress）のに適用可能なサービスクラスインスタンス、フィルタ規則、およびサービスクラスインスタンステンプレートの論理的まとまりであるＥｇｒｅｓｓ要素８１２と、対応するアクセスリンクを介して加入者からアクセスルータにトラヒックを入れる（ingress）のに適用可能なサービスクラスインスタンス、フィルタ規則、およびサービスクラスインスタンステンプレートの論理的まとまりであるＩｎｇｒｅｓｓ要素８１４とを含むことができる。
【００４６】
Ｅｇｒｅｓｓ要素８１２とＩｎｇｒｅｓｓ要素８１４は、それぞれ、１以上のサービスクラスインスタンス要素８１６、８１８を含むことができる。サービスクラスインスタンス要素８１６および８１８は、例えば、これのインスタンスが必要とされ、トラヒックフローが１以上のフィルタ規則によってこれと関連付けられる特定のサービスクラス要素を識別するなど、静的サービスクラスインスタンスを定義することができる。静的サービスクラスインスタンスは、概念的には、特定のサービスクラスの永続的に要求されるインスタンスとみなすことができる。対応するサービスクラスのパラメータによっては、アドミッション制御決定が必要とされる。よって、任意の時点において、静的サービスクラスインスタンスは、リソース可用性およびアドミッション優先度によって、働きかけられる（受け入れられるなど）こともそうでないこともあるが、可能なときにはいつでもアクティブにされる必要がある。
【００４７】
また、Ｅｇｒｅｓｓ要素８１２とＩｎｇｒｅｓｓ要素８１４は、それぞれ、１以上のフィルタ規則要素８２０、８２２も含むことができる。フィルタ規則要素８２０、８２２は、トラヒックフローに属するパケットを定義されるサービスクラスインスタンスとマップするための分類フィルタ規則を定義する。各フィルタ規則要素は、他のフィルタ規則要素と比べた当該のフィルタ規則要素が適用されるべき順序を指示する優先度、パケットマッチング基準の仕様（１以上のパケットヘッダまたはペイロードフィールドに対応する値または値の範囲など）、およびマッチするパケットが関連付けられるべきサービスクラスインスタンスの指示を含むことができる。また、フィルタ規則要素８２０、８２２は、トラヒックフローに属するパケットをヌルサービスクラスのインスタンスにマップすることによってこれらを廃棄するのに使用することもできる。
【００４８】
また、Ｅｇｒｅｓｓ要素８１２とＩｎｇｒｅｓｓ要素８１４は、それぞれ、１以上のサービスクラスインスタンステンプレート要素８３０、８４０も含むことができる。サービスクラスインスタンステンプレート要素８３０、８４０は、これのインスタンスが動的に要求され得る特定のサービスクラス要素を識別するなど、動的なサービスクラスインスタンスの事前許可を規定すると共に、要求されるサービスクラスインスタンスに関するポリシ制約条件、および／または要求されるサービスクラスインスタンスとトラヒックフローを関連付けるのに使用されるフィルタ規則を規定する。
【００４９】
図９を参照すると、前述の変更可能なプロファイルを用いることのできる例示的ローミングシステム９００が示されている。システム９００には、加入者ホスト（ＳＨ）９１０が、在圏網９２０、すなわちＳＨ９１０のホーム網９３０以外のネットワークを介してアクセス権限を獲得するローミングシナリオが示されている。この例では、典型的には、ホーム網事業者と在圏網事業者の間にローミング契約９４０が存在し得る。ホーム網事業者は、典型的には、ＳＨ９１０の認証およびアクセス権限の付与に関与し得る。ホーム事業者がＳＨ９１０にアクセス権限を付与したと仮定すると、在圏網事業者は、ＳＨに、在圏網事業者のローカルアクセス網を介してサービスを受けさせることができる。しかし、基本ネットワークサービスおよび上位層サービスを、どちらかまたは両方のネットワーク事業者が提供することもできる。システム９００内の破線は、基本ネットワークサービスおよび／または上位層サービスを概念的に表している。ローミング時には、ＳＨ９１０は、在圏／ローカルドメイン９２０、ホーム網もしくはドメイン９３０、またはこれら両方からサービスを受けることも可能である。よって、加入者サービス機構（サービスの許可を指示する加入者プロファイルなど）は、どちらかのドメインによるサービスのサポートを可能にするのに十分な情報を提供する必要がある。また、シナリオのシステム９００は、ホーム網９３０が移動体仮想網事業者（ＭＶＮＯ）である事例など、ＭＶＮＯの一例も表し得る。この場合、ＭＶＮＯは、要求されるネットワーク要素および「ローミング」をサポートするソフトウェアを含み得るが、アクセス網は含まない。よって、ＳＨ９１０は、管理上は、ＭＶＮＯと関連付けられているが、ホーム網９３０に直接アクセスすることはできず、在圏網９２０によってローミングしているように見える。
【００５０】
図１０を参照すると、システム１０００には、仮想ホーミングシナリオが示されている。システム１０００で示す仮想ホーミングシナリオは、仮想ホーム１０３０がＭＶＮＯである事例など、ＭＶＮＯをサポートする別の例を表しており、また、仮想ホーム１０３０が構内網である事例など、仮想私設網（ＶＰＮ）をサポートする例も表している。前述のシステム９００との一般的な区別は、システム１０００においては、ＳＨ１０１０が、管理上は、これを介してアクセス権限を獲得するローカル網１０２０と関連付けられており、ローカル網１０２０がホーム網である点にある。よって、ローカル／ホーム網事業者は、典型的には、ＳＨ１０１０の認証およびアクセス権限の付与に関与するはずである。しかし、ＳＨ１０１０は、図示する仮想ホーム１０３０との関連も有し、仮想ホーム１０３０は、ＭＶＮＯまたは、ＶＰＮサービスが提供されるべき、企業などの民間団体とすることもできる。システム９００の場合と同様に破線が描かれているが、これはアドレス指定／経路指定などの基本ネットワークサービス、ならびに潜在的に上位層サービスが、ホーム／ローカルドメイン１０２０、仮想ホームドメイン１０３０、またはこれら両方によって提供され得ることを示すものである。
【００５１】
図１１を参照すると、システム１１００には、仮想ホーミングおよびローミングのシナリオが示されている。システム１１００は、前述のシステム９００とシステム１０００に示すシナリオの組み合わせを表している。この例では、ＳＨ１１１０は、在圏網１１４０を介してアクセス権限を獲得する間、ホーム網１１２０および仮想ホーム１１３０と関連付けられている。この場合もやはり、ホーム網事業者は、典型的には、ＳＨ１１１０の認証およびアクセス権限の付与に関与するはずである。しかし、このシステム１１００には３本の破線矢印が描かれており、これらは、アドレス指定／経路指定などの基本ネットワークサービス、ならびに潜在的上位層サービスが在圏／ローカルドメイン１１４０、ホームドメイン１１２０、仮想ホームドメイン１１３０、またはこれら３つのドメインの組み合わせによって提供され得ることを示している。
【００５２】
図１２を参照すると、プロファイル変更およびローミングに関連する方法１２００が示されている。説明を簡単にするために、この方法を一連の動作として図示し、説明するが、この方法は、この動作順序だけに限定されるものではなく、いくつかの動作は、１以上の実施形態によれば、本明細書で図示し、説明している順序と異なる順序で行われてもよく、かつ／または他の動作と同時に行われてもよいことを理解し、認めるべきである。例えば、方法は、代替として、状態図の場合のように、一連の相互関連する状態または事象として表わすこともできることを当分野の技術者は理解し、認めるであろう。さらに、特許請求する主題による方法を実施するのに必ずしも図示のすべての動作が使用されなくてもよい。
【００５３】
図１２を詳細に参照して方法１２００を説明する。方法１２００は１２０２から開始し、１２０４で、在圏網にサービスを求める要求が生成される。例えば、移動端末は、最初に、ホーム網を介して許可を受けており、現在移動端末は、これの所在地により、在圏網またはドメインとも呼ばれる後続のネットワークにアクセス権限を要求している。１２０６で、ホーム網にプロファイルが要求される。このような要求は、１２０４のサービスを求める要求に応答して在圏網によって生成され得る。プロファイルは、現在、例えば、この端末がホーム網によって許可されたときにサポートされているサービス品質パラメータなどのサービスを規定している。１２０８で、ホーム網によってアクセス権限付与が生成されると、ホーム網から在圏網にプロファイルが送信される。前述のように、ホーム網は、移動体仮想網事業者（ＭＶＮＯ）や他の仮想私設網構成要素によって提供されるような仮想態様を含むことができる。
【００５４】
アクセス権限付与は、ホーム網と在圏網の間でハンドシェーク信号またはコードが交換された後で行われ得る。１２１０で、受け取られたプロファイルは、必要に応じて、元のままとすることも、変更することもできる。プロファイル変更には、プロファイルにサービスを追加すること、プロファイルからサービスを削除すること、および／またはプロファイル内の個々のサービスに関連するパラメータを調整することが含まれ得る。よって、在圏網は、受け取ったプロファイルを考慮してホーム網と類似のサービスを提供することもでき、プロファイルから１以上のサービスが削除されている場合には縮小されたサービスセットを提供することもでき、在圏網が受け取ったプロファイルにサービスを追加する場合にはサービスのスーパーセットを提供することもできる。１２１２において、プロファイルを用いて、無線アクセス端末に所望のサービスセットを提供することが出来る。
【００５５】
次に図１３および１４をまとめて見ると、端末、事業者網、アクセスノード、およびこれらのトラヒックフローに関して、プロファイル変更およびローミングに関連するシステムが示されている。各システムは一連の相互関連機能ブロックとして表わされており、各ブロックは、プロセッサ、ソフトウェア、ハードウェア、ファームウェア、またはこれらの任意の適切な組み合わせによって実施される機能を表わすことができる。
【００５６】
図１３を詳細に参照すると、システム１３００は在圏網からの通信を円滑に行わせる。システム１３００は、ホーム網から生成された加入者プロファイルを受け取る論理モジュール１３０２を含む。論理モジュール１３０４は加入者プロファイルを変更するのに用いられ、論理モジュール１３０６は、一部は変更された加入者プロファイルに基づいてサービスを提供するのに利用される。加入者プロファイルを変更することは、プロファイルのサービスの追加もしくは削除を行うこと、またはプロファイル内のパラメータを変更／編集することを含むことができる。
【００５７】
次に図１４を参照すると、システム１４００は、ローミング環境においてホーム網からの通信を円滑に行わせる。システム１４００はホーム網から加入者プロファイルを生成する論理モジュール１４０２を含む。これは、プロファイルへの変更を可能にするために加入者プロファイルに注釈をつける論理モジュール１４０４およびホーム網へのアクセス権限を付与する論理モジュール１４０６を含む。
【００５８】
図１５を参照すると、ネットワーク間のローミングにプロファイルデータを用いることのできる例示的ネットワーク例１５００が示されている。システム１５００には、加入者ホスト（ＳＨ）１５２０がアクセス権限を獲得するための２つのアクセスルータ（ＡＲ）１５１４および１５１８を備える事業者の相互接続網１５１０、ならびにいくつかの別のネットワーク要素が示されている。様々な要素間の論理インターフェースは破線を使って示されている。ＡＲ１５１４〜１５１８はサービス制御の状況におけるネットワーク要素である。というのは、これらはこの事業者のインフラストラクチャを介して利用できるサービスへのアクセス権限を制御し、アクセスリンクを介してかかるサービスのＱｏＳを直接制御するために配置されているからである。しかし、完璧な解決法においては、いくつかの他のネットワーク要素が、例えばＡＲ１５１４〜１５１８の動作を制御するなどの役割を果たす可能性もある。以下の説明で、システム１５００に示す各論理インターフェースおよび関連するネットワーク要素を検討する。
【００５９】
個別加入者ベースでサービスを制御するという概念にとって基本となるのは信頼される加入者識別情報（またはＳＨ１５２０と関連付けられた加入者識別情報）の指示である。典型的には、ネットワークおよび上位層サービスへのアクセス権限が付与される前に、拡張可能認証プロトコル（ＥＡＰ）などを使って、加入者の指示する識別情報が認証される。この初期認証許可プロセスは、一般に、リモートダイヤルインユーザサービス（ＲＡＤＩＵＳ）プロトコルなどを使った、ＡＲ１５１４〜１５１８などアクセス権限の要求に介在する要素と別個の認証許可サーバ（ＡＡＳ）１５３０との間の通信を伴う。加入者の識別情報がＡＡＳ１５３０によって認証され、加入者１５２０にアクセス権限の獲得が許可される場合には、アクセス権限が付与されるという指示がＡＡＳ１５３０からアクセス権限の要求に介在する要素に返される。
【００６０】
初期アクセス権限付与に続いて、ＡＲ１５１４〜１５１８は、課金サーバ（ＡＣＳ）１５４０へのパケット／バイト数などの課金情報の送信を開始する。従来からのＩＰベストエフォートサービスは、しばしば、送受信されるトラヒックの単純な総パケット／バイト数だけからなる。しかし、より豊富な加入者サービスセットのサポートでは、サービスベースの課金および請求を可能にする課金機構を用いる可能性も高い。よって、ＡＲ１５１４〜１５１８によって収集／報告されるなどの課金情報は、使用されるサービスおよび／または提供されるＱｏＳのレベル関する詳細を含むべきである。
【００６１】
本明細書に提示するアーキテクチャによれば、ＳＨ１５２０は、これの接続点をあるＡＲから別のＡＲに変更することがあり、このプロセスを一般にハンドオフという。モバイルＩＰ（ＭＩＰ）はＩＰ相互接続網における移動度をサポートする一手法であり、トンネルを使って経路指定／転送を管理し、よって、モバイルホストが接続点を変更する際に同じアドレスを使用し続けることを可能にする。コンテキスト転送（ＣＴ）の機構を用いて、ハンドオフ時のサービス分断を最小限に抑えることができる。ハンドオフ時にＡＲ間でサービス許可およびＱｏＳ構成に関する情報を転送することにより、新しいＡＲを介して同等のサービスをより迅速に、効率よく確立することができる。新しいＡＲに移動するＳＨ１５２０と関連付けられるＱｏＳ構成情報を受け取ると、新しいＡＲは、指示されるサービスを提供する前に、十分なリソースが利用可能であるかどうか判定するためのアドミッション制御を行う必要があることに留意されたい。
【００６２】
リソース制御インターフェース１５５０は、ＳＨ１５５０が初期アクセス権限付与に続いてＱｏＳ構成変更を要求するためのシグナリングプロトコルを用いる。前述のように、これは、動的条件が必要とするようにＳＨ１５２０によって要求され得る利用可能なＱｏＳデータおよびパラメータのセットを含む。一般には、ＳＨ１５２０と、ＳＨがやりとりする相手の別のホストの間でエンドツーエンドＱｏＳがサポートされていると想定することはできない。しかし、システム１５００は、幅広いサービス範囲について、リソース予約が、データパス全体に沿ってではなくＡＲ１５１４〜１５１８においてのみ必要とされるＱｏＳアーキテクチャを提供する。データパスに沿った別のノードにおいてリソース予約が必要とされる場合には、代替の、または追加のリソース制御シグナリングが使用され得る。モデルによれば、ＳＨ１５２０は、送信と受信両方のトラヒックのためにリソースを要求することができるはずである。システム１５００にはＳＨ１５２０とＡＲの間のリソース制御インターフェース１５５０が示されているが、ＳＨの代わりに、事業者の相互接続網１５１０内の要素、事業者ホスト（ＯＨ）またはアプリケーションサーバから、同等の、または類似のリソース制御リソース制御インターフェースを介してＱｏＳ構成をサポートすることも可能である。
【００６３】
ポリシ制御インターフェース１５５４は、リソース制御インターフェース１５５０を介して要求されるなどの、ＱｏＳ構成変更の許可をチェックするための機構を表す。ポリシ制御インターフェース１５５４は、ＡＲ１５１４とＰＤＰ１５６０として機能する不特定のネットワーク要素の間に示されており、ＰＤＰ機能は、例えば、専用ポリシサーバ、アプリケーションサーバ、または他の何らかのネットワーク要素などに位置し得ることに留意されたい。この区別が生じる可能な理由は、ＰＤＰ機能１５６０の適切な配置が個々のサービスに依存することである。一般には、異なるサービスを異なるＰＤＰと関連付けられることさえも可能であり、よって、本発明のいくつかの実施形態によれば、サービス定義は関連付けられるＰＤＰの指示を含む。
【００６４】
図１６に、例えば、無線端末といった無線通信装置とすることのできる通信装置１６００を示す。加えて、または代替として、通信装置１６００は有線網内に置くこともできる。通信装置１６００は、端末のＱｏＳデータ（および端末と関連付けられるトラヒックフロー）に対してかかる装置を構成するための命令を保持することのできるメモリ１６０２を含むことができる。加えて、通信装置１６００は、メモリ１６０２内の命令および／または別のネットワーク機器から受け取られる命令を実行することのできるプロセッサ１６０４を含み、これらの命令は、通信装置１６００または関連する通信装置を構成することに関連するものとすることができる。
【００６５】
メモリ１６０２は、１以上のサービスと関連付けられたプロファイルを受け取る命令を保持し、プロファイルは、ホーム網構成要素と関連付けることができ、在圏網構成要素を介して変更することができ、ローミングアクセス端末にサービスを提供するのに用いられる。別の態様において、メモリは、１以上のサービスと関連付けられるプロファイルを生成する命令を保持し、プロファイルは、ホーム網構成要素と関連付けることができ、サービス記述コンポーネントによって変更することができる。プロファイルは、例えば、ローミングアクセス端末にサービスを提供するのに用いることができる。
【００６６】
本明細書で説明する１以上の実施形態での別の状況を提供するために、図１７に、通信リンクによって相互接続されている複数のノードを備える例示的通信システム１７００を示す。システム１７００は直交周波数分割多重（ＯＦＤＭ）信号を使用し、無線リンクを介して情報を交換する。しかし、符号分割多元接続（ＣＤＭＡ）信号や時分割多元接続（ＴＤＭＡ）信号など、他の種類の信号も（地上網で使用される信号と共に）企図されている。通信システム１７００内のノードは、インターネットプロトコル（ＩＰ）などの通信プロトコルに基づき、メッセージなどの信号を使って情報を交換する。システム１７００の通信リンクは、例えば、配線、光ファイバケーブル、および／または無線通信技術などを使って実施される。システム１７００は複数の終端ノード１７０２〜１７１２を含み、終端ノード１７０２〜１７１２は、複数のアクセスノード１７１４〜１７１８を介して通信システム１７００にアクセスする。終端ノード１７０２〜１７１２は、例えば、無線通信機器や端末などとすることができ、アクセスノード１７１４〜１７１８は、例えば、無線アクセスルータや基地局などとすることができる。また、通信システム１７００は、相互接続を可能にし、または特定のサービスもしくは機能を提供するのに使用されるいくつかの他のノード１７２０〜１７３０も含む。
【００６７】
通信システム１７００には、アクセス制御ノード１７２０、移動度サポートノード１７２２、ポリシ制御ノード１７２４およびアプリケーションサーバノード１７２６を含むネットワーク１７６０が示されており、これらのノードはすべて、それぞれ、対応するネットワークリンク１７３２〜１７３８によって中間ネットワークノード１７２８に接続されている。実施形態によっては、リモート認証ダイヤルインユーザサービス（ＲＡＤＩＵＳ）やＤｉａｍｅｔｅｒサーバなどのアクセス制御ノードが、終端ノードおよび／または終端ノードと関連付けられるサービスの認証、許可、および／または課金をサポートする。実施形態によっては、モバイルＩＰホームエージェントおよび／またはコンテキスト転送サーバなどの移動度サポートノード１７２２が、終端ノードへの／からのトラヒックの宛先変更および／またはアクセスノード間での終端ノードと関連付けられる状態の転送などによって、アクセスノード間における終端ノードの、ハンドオフなどの移動度をサポートする。実施形態によっては、ポリシサーバやポリシ決定点（ＰＤＰ）などのポリシ制御ノード１７２４が、サービスまたはアプリケーション層セッションのためのポリシ許可をサポートする。実施形態によっては、セッション開始プロトコルサーバ、ストリーミングメディアサーバ、他のアプリケーション層サーバなどのアプリケーションサーバノード１７２６が、終端ノードから利用できるサービスのためのセッションシグナリングをサポートし、かつ／または終端ノードから利用できるサービスまたは内容を提供する。
【００６８】
ネットワーク１７６０内の中間ネットワークノード１７２８は、ネットワークリンク１７３４を介して、ネットワーク１７６０から見て外部にあるネットワークノードとの相互接続を提供する。ネットワークリンク１７３４は中間ネットワークノード１７３０に接続されており、中間ネットワークノード１７３０は、ネットワークリンク１７３６〜１７４０を介して、それぞれ、アクセスノード１７１４、１７１６および１７１８にさらなる接続を提供する。各アクセスノード１７１４〜１７１８は、それぞれ、対応するアクセスリンク１７４２〜１７５２を介して、それぞれ、終端ノード１７０２〜１７１２への接続を提供するものとして示されている。通信システム１７００では、各アクセスノード１７１４〜１７１８は、無線アクセスリンクなどの無線技術を使ってアクセスを可能にするものとして示されている。しかし、アクセスの提供に関連しては有線技術も利用され得る。各アクセスノード１７１４〜１７１８の通信セル１７５４〜１７５８などの無線カバレージエリアは、対応するアクセスノードを取り囲む円として示されている。
【００６９】
通信システム１７００は、本明細書で述べる様々な実施形態の説明の基礎として使用することができる。代替の実施形態では、様々なネットワークトポロジを含み、（ネットワークノード、アクセスノード、終端ノード、ならびに様々な制御、サポート、およびサーバノードを含む）ノードの数と種類、リンクの数と種類、および様々なノード間の相互接続性が通信システム１７００のものと異なっていてもよい。加えて、通信システム１７００に示す機能エンティティのいくつかが省略され、または組み合わされてもよい。また、これらの機能エンティティの場所または配置が変更されてもよい。
【００７０】
図１８に、無線端末などの例示的終端ノード１８００を示す。終端ノード１８００は、終端ノード１７０２〜１７１２（図１７）のいずれか１つとして使用され得る装置の図である。終端ノード１８００は、バス１８１０によって相互に結合されたプロセッサ１８０２、無線通信インターフェースモジュール１８０４、ユーザ入力／出力インターフェース１８０６およびメモリ１８０８を含む。したがって、バス１８１０を介して、終端ノード１８００の様々な構成要素は情報、信号およびデータを交換することができる。終端ノード１８００の構成要素１８０２〜１８０８はハウジング１８１２内部に位置することができる。
【００７１】
無線通信インターフェースモジュール１８０４は、終端ノード１８００の内部構成要素が、外部機器およびアクセスノードなどにネットワークノードとの間で信号を送受信するための機構を提供する。無線通信インターフェースモジュール１８０４は、例えば、無線通信路などを介して、終端ノード１８００を他のネットワークノードに結合するのに使用される、対応する受信用アンテナ１８１６を備える受信側モジュール１８１４、および対応する送信用アンテナ１８２０を備える送信側モジュール１８１８などを含む。
【００７２】
また、終端ノード１８００は、キーパッドなどのユーザ入力装置１８２２、およびディスプレイなどの出力装置１８２４も含み、これらはユーザ入力／出力インターフェース１８０６を介してバス１８１０に結合されている。よって、ユーザ入力装置１８２２／出力装置１８２４は、ユーザ入力／出力インターフェース１８０６およびバス１８１０を介して、終端ノード１８００の他の構成要素と情報、信号およびデータを交換することができる。ユーザ入力／出力インターフェース１８０６および関連する装置１８２２、１８２４は、ユーザが終端ノード１８００を様々なタスクを達成するように操作するための機構を提供する。詳細には、ユーザ入力装置１８２２およびユーザ出力装置１８２４は、ユーザに、終端ノード１８００、ならびに、終端ノード１８００のメモリにおいて実行される、モジュール、プログラム、ルーチンおよび／または関数などのアプリケーションを制御させる機能を提供する。
【００７３】
プロセッサ１８０２は、メモリ１８０８に含まれるルーチンなどの様々なモジュールの制御下で、終端ノード１８００の動作を、様々なシグナリングおよび処理を実行するように制御する。メモリ１８０８に含まれるモジュールは、起動時に、または他のモジュールによって呼び出されたときに実行される。モジュールは、実行されると、データ、情報、および信号を交換する。また、モジュールは、実行されると、データおよび情報を共用することもできる。終端ノード１８００のメモリ１８０８は、制御シグナリングモジュール１８２６、アプリケーションモジュール１８２８、およびトラヒック制御モジュール１８３０を含み、トラヒック制御モジュール１８３０はさらに構成情報１８３２および様々な追加モジュールを含む。
【００７４】
制御シグナリングモジュール１８２６は、トラヒック制御モジュール１８３０ならびに構成情報１８３２および包含する様々なモジュールなどを含めて、終端ノード１８００の様々な態様の動作および／または構成を制御するための、メッセージなどの信号の受信および送信に関連する処理を制御する。実施形態によっては、制御シグナリングモジュール１８２６は、終端ノード１８００および／または制御シグナリングモジュール１８２６によってサポートされる１以上のシグナリングプロトコルに関連する、パラメータ、状況および／または他の情報などの状態情報を含むことができる。詳細には、制御シグナリングモジュール１８２６は、終端ノード識別情報および／またはパラメータ設定などの構成情報、ならびに現在の処理状態、保留中のメッセージトランザクションの状況などの動作情報を含む。
【００７５】
アプリケーションモジュール１８２８は、終端ノード１８００によってサポートされる１以上のアプリケーションに関連する処理および通信を制御する。実施形態によっては、アプリケーションモジュール１８２８の処理は、ユーザ入力／出力インターフェース１８０６を介する情報の入力／出力、アプリケーションと関連付けられる情報の操作、および／またはアプリケーションと関連付けられるメッセージなどの信号の受信または送信に関連するタスクを含むことができる。実施形態によっては、アプリケーションモジュール１８２８は、アプリケーションモジュール１８２８によってサポートされる１以上のアプリケーションの動作に関連する、パラメータ、状況および／または他の情報などの状態情報を含む。詳細には、アプリケーションモジュール１８２８は、ユーザ識別情報および／またはパラ設定などの構成情報、ならびに現在の処理、保留中の応答の状況などの動作情報を含む。アプリケーションモジュール１８２８によってサポートされるアプリケーションには、例えば、ＩＰ上の音声（ＶｏＩＰ）、ウェブ閲覧、音声／映像ストリーミング、インスタントメッセージング、ファイル共用、ゲームなどが含まれる。
【００７６】
トラヒック制御モジュール１８３０は、無線通信インターフェースモジュール１８０４を介したメッセージ、パケット、および／またはフレームなどのデータ情報の受信および送信に関連する処理を制御する。例示的トラヒック制御モジュール１８３０は、構成情報１８３２、ならびに、関連するパケットのシーケンスなど、パケットおよび／またはトラヒックフローのＱｏＳの様々な態様を制御する様々な追加モジュールを含む。様々な追加モジュールが含まれるのは、実施形態によっては、トラヒック制御の特定の態様をサポートするのに必要とされる特定の機能および操作を実行するためである。モジュールは、トラヒック制御の機能要件により、必要に応じて省略され、かつ／または組み合わされてもよい。トラヒック制御モジュール１８３０に含まれる各追加モジュールの説明は以下のとおりである。
【００７７】
アドミッション制御モジュール１８３４はリソース利用度／可用性に関連する情報を維持し、望ましくは特定のトラヒックフローと関連付けられるＱｏＳパラメータをサポートするのに十分なリソースが利用可能であるかどうか判定する。アドミッション制御モジュール１８３４によって維持されるリソース可用性情報には、例えば、パケットおよび／またはフレーム待ち行列容量、スケジューリング容量、ならびに１以上のトラヒックフローをサポートするのに必要な処理およびメモリ容量などが含まれる。制御シグナリングモジュール１８２６、アプリケーションモジュール１８２８および／または終端ノード１８００に含まれる他のモジュールは、新しい、または変更されたトラヒックフローをサポートするのに十分なリソースが利用できるかどうか判定するためにアドミッション制御モジュール１８３４に問い合わせることができ、この場合、アドミッション制御の判定は、特定のトラヒックフローのＱｏＳパラメータおよびプロファイル内で定義されているＱｏＳパラメータの関数である。構成情報１８３２は、次の要求を拒絶する前に割り振られ得るリソースの割合を指示するアドミッション制御閾値など、アドミッション制御モジュール１８３４の動作に影響を及ぼすパラメータ設定などの構成情報を含むことができる。
【００７８】
アップリンクリンクスケジューラモジュール１８３６は、終端ノード１８００からアクセスノードまでなど、無線通信インターフェースモジュール１８０４を介して送られるべき、メッセージ、パケット、および／またはフレームなどのデータ情報のための、順序および／またはタイミングなどの送信スケジューリング、ならびに、情報符号化速度、送信タイムスロット、および／または送信電力などの送信リソースの割り振りに関連する処理を制御する。アップリンクリンクスケジューラモジュール１８３６は、送信のスケジューリングを行い、１以上のトラヒックフローと関連付けられるＱｏＳパラメータの関数として送信リソースを割り振ることができる。実施形態によっては、アップリンクリンクスケジューラモジュール１８３６によって行われるスケジューリングおよび／またはリソース割り振り操作は、さらに、通信路条件および電力バジェットなど他の要因の関数である。
【００７９】
アップリンクリンクＰＨＹ／ＭＡＣモジュール１８３８は、終端ノード１８００からアクセスノードまでなど、無線通信インターフェースモジュール１８０４を介した、メッセージ、パケット、および／またはフレームなどのデータ情報の送信に関連する物理（ＰＨＹ）層および媒体アクセス制御（ＭＡＣ）層処理を制御する。例えば、アップリンクリンクＰＨＹ／ＭＡＣモジュール１８３８の動作は、メッセージ、パケット、および／またはフレームなどのデータ情報の送信を調整するための、信号やメッセージなどの制御情報の送信と受信両方を含む。構成情報１８３２は、送信に使用されるべき周波数、帯域、通信路、拡散符号、ホッピング符号（hoping code）、終端ノード１８００と関連付けられる識別子、割り当て要求通信路の使用を規定する要求辞書など、アップリンクリンクＰＨＹ／ＭＡＣモジュール１８３８の動作に影響を及ぼす、パラメータ設定などの構成情報を含むことができる。
【００８０】
アップリンクリンクＬＬＣ（ＡＲＱ）モジュール１８４０は、終端ノード１８００からアクセスノードまでなど、無線通信インターフェースモジュール１８０４を介したメッセージ、パケット、および／またはフレームなどのデータ情報の送信に関連する論理リンク制御（ＬＬＣ）層処理を制御する。アップリンクリンクＬＬＣ（ＡＲＱ）モジュール１８４０は、紛失パケットまたはフレームの再送信など、自動再送信要求（ＡＲＱ）機能と関連付けられる処理を含む。アップリンクリンクＬＬＣ（ＡＲＱ）モジュール１８４０は、例えばさらに、型フィールドによるマルチプロトコル多重化／逆多重化やチェックサムフィールドの利用による誤り検出などの追加機能を提供するための、パケットなどの上位層メッセージへのＬＬＣヘッダおよび／またはトレーラの追加に関連する処理を含むこともできる。アップリンクリンクＬＬＣ（ＡＲＱ）モジュール１８４０は、さらに、パケットなどの上位層メッセージの、アップリンクリンクＰＨＹ／ＭＡＣモジュール１８４０によって送られる、フレームなどの複数の下位部分への細分化を行うこともできる。構成情報１８３２は、ＡＲＱウィンドウサイズ、最大再送信回数、廃棄タイマなど、アップリンクリンクＬＬＣ（ＡＲＱ）モジュール１８４０の動作に影響を及ぼす構成情報を含むことができる。
【００８１】
アップリンクリンク待ち行列管理モジュール１８４２は、終端ノード１８００からアクセスノードまでなど、無線通信インターフェースモジュール１８０４を介して送られるべきデータ情報の格納に関連する情報を維持し、処理を制御する。アップリンクリンク待ち行列管理モジュール１８４２は、例えば、送信を待っているデータ情報の格納を制御し、トラヒックフローごとに送信を待っているデータ情報に関する状態情報を維持することができ、例えば、各トラヒックフローと関連付けられたパケットが別々の待ち行列に格納される。例えば、アップリンクリンク待ち行列管理モジュール１８４２は、先頭破棄、末尾破棄、およびランダム初期検知（ＲＥＤ）などの様々なアクティブキュー管理（ＡＱＭ）機構など、様々な待ち行列管理法および／または機能をサポートする。構成情報１８３２は、待ち行列限度、廃棄戦略、および／または１つもしくは複数のトラヒックフローと関連付けられるＡＱＭ閾値など、アップリンクリンク待ち行列管理モジュール１８４２の動作に影響を及ぼす構成情報を含むことができる。
【００８２】
アップリンクリンク分類モジュール１８４４は、終端ノード１８００からアクセスノードまでなど、無線通信インターフェースモジュール１８０４を介して送られる前に、データ情報を特定のトラヒックフローに属するものとして識別することに関連する処理を制御する。実施形態によっては、無線通信インターフェースモジュール１８０４を利用して送られるべきメッセージ、パケット、および／またはフレームは、１以上のヘッダおよび／またはペイロードフィールドの検査に基づき、アップリンクリンク分類モジュール１８４４によって様々なトラヒックフローの１つに属するものとして分類される。アップリンクリンク分類モジュール１８４４による分類の結果は、アップリンクリンク待ち行列管理モジュール１８４２、およびメモリ１８０８内の他のモジュールによる分類データ情報の処理に影響を及ぼすことができる。例えば、この結果は、メッセージ、パケット、および／またはフレームが格納のために関連付けられる特定の待ち行列を決定し、さらにスケジューリングなどの後続処理にも影響を及ぼす。構成情報は、メッセージ、パケット、および／またはフレームなどのデータ情報を、１以上のトラヒックフローに属するものとして関連付けるのに使用される基準を規定する１以上の分類フィルタ規則のセットなど、アップリンクリンク分類モジュール１８４４の動作に影響を及ぼす構成情報を含むことができる。
【００８３】
ダウンリンクリンクＰＨＹ／ＭＡＣモジュール１８４６は、無線通信インターフェースモジュール１８０４を介したデータ情報の受信に関連するＰＨＹ層およびＭＡＣ層の処理を制御する。ダウンリンクリンクＰＨＹ／ＭＡＣモジュール１８４６の動作は、データ情報の受信を調整するための制御情報の送信と受信両方を含むことができる。構成情報１８０４は、受信に使用されるべき周波数、帯域、通信路、拡散符号またはホッピング符号、終端ノード１８００と関連付けられた識別子など、ダウンリンクリンクＰＨＹ／ＭＡＣモジュール１８４６の動作に影響を及ぼす構成情報を含むことができる。
【００８４】
ダウンリンクリンクＬＬＣ（ＡＲＱ）モジュール１８４８は、無線通信インターフェースモジュール１８０４を介したデータ情報の受信に関連するＬＬＣ層処理を制御する。ダウンリンクリンクＬＬＣ（ＡＲＱ）モジュール１８４８は、紛失パケットまたはフレームの再送信など、ＡＲＱ機能と関連付けられる処理を含む。例えば、ダウンリンクリンクＬＬＣ（ＡＲＱ）モジュール１８４８はさらに、型フィールドによるマルチプロトコル多重化／逆多重化やチェックサムフィールドによる誤り検出などの追加機能を提供する、上位層メッセージをカプセル化するＬＬＣヘッダおよび／またはトレーラに関連する処理を含むことができる。また、ダウンリンクリンクＬＬＣ（ＡＲＱ）モジュール１８４８は、ダウンリンクリンクＰＨＹ／ＭＡＣモジュール１８４６によって受け取られるフレームの上位層メッセージへの再アセンブリを行うこともできる。構成情報１８３２は、ＡＲＱウィンドウサイズ、最大再送信回数、廃棄タイマなど、ダウンリンクリンクＬＬＣ（ＡＲＱ）モジュール１８４８の動作に影響を及ぼすパラメータ設定などの構成情報を含むことができ、実施形態によってはこれらを含む。
【００８５】
図１９に、本発明に従って実施される例示的アクセスノード１９００の詳細図を示す。アクセスノード１９００は、図１７に示すアクセスノード１７１４〜１７１８のいずれか１つとして使用され得る装置の詳細図である。図１９の実施形態において、アクセスノード１９００は、バス１９１０によって相互に結合されたプロセッサ１９０２、メモリ１９０４、ネットワーク／相互接続網インターフェースモジュール１９０６および無線通信インターフェースモジュール１９０８を含む。したがって、バス１９１０を介して、アクセスノード１９００の様々な構成要素は、情報、信号およびデータを交換することができる。アクセスノード１９００の構成要素１９０２〜１９１０は、ハウジング１９１２内部に位置する。
【００８６】
ネットワーク／相互接続網インターフェースモジュール１９０６は、アクセスノード１９００の内部構成要素が外部機器およびネットワークノードとの間で信号を送信し、受信するための機構を提供する。ネットワーク／相互接続網インターフェースモジュール１９０６は、銅線や光ファイバ回線などを介してノード１９００を他のネットワークノードに結合するのに使用される受信側モジュール１９１４および送信側モジュール１９１６を含む。また、無線通信インターフェースモジュール１９０８も、アクセスノード１９００の内部構成要素が終端ノードなどの外部機器およびネットワークノードとの間で信号を送信し、受信するための機構を提供する。無線通信インターフェースモジュール１９０８は、対応する受信用アンテナ１９２０を備える受信側モジュール１９１８、および対応する送信用アンテナ１９２４を備える送信側モジュール１９２２などを含む。無線通信インターフェースモジュール１９０８は、無線通信路などを介して、アクセスノード１９００を他のノードに結合するのに使用される。
【００８７】
メモリ１９０４に含まれるルーチンなど様々なモジュールの制御下にあるプロセッサ１９０２は、様々なシグナリングおよび処理を行うようにアクセスノード１９００の動作を制御する。メモリ１９０４に含まれるモジュールは、起動時に、または他のモジュールに呼び出される際に実行される。モジュールは、実行されると、データ、情報、および信号を交換する。また、モジュールは、実行されるとデータおよび情報を共用することもできる。図１９の実施形態では、アクセスノード１９００のメモリ１９０４は、制御シグナリングモジュール１９２６およびトラヒック制御モジュール１９２８を含み、トラヒック制御モジュール１９２８はさらに構成情報１９３０および様々な追加モジュール１９３２〜１９５４を含む。
【００８８】
制御シグナリングモジュール１９２６は、トラヒック制御モジュール１９２８、ならびにトラヒック制御モジュール１９２８に含まれる構成情報１９３０および様々な追加モジュール１９３２〜１９５４などを含むアクセスノード１９００の様々な態様の動作および／または構成を制御するためのメッセージなどの信号の受信および送信に関連する処理を制御する。例えば、制御シグナリングモジュール１９２６は、アクセスノード１９００の動作に関連するパラメータ、状況および／もしくは他の情報などの状態情報、ならびに／または制御シグナリングモジュール１９２６によってサポートされる１以上のシグナリングプロトコルを含む。詳細には、制御シグナリングモジュール１９２６は、アクセスノード識別情報および／もしくはパラメータ設定などの構成情報、ならびに現在の処理状態に関する情報、保留中のトランザクションの状況などの動作情報を含む。
【００８９】
トラヒック制御モジュール１９２８は、無線通信インターフェースモジュール１９０８を介したメッセージ、パケット、および／またはフレームなどのデータ情報の受信および送信に関連する処理を制御する。例えば、トラヒック制御モジュールは、構成情報１９３０、ならびに、関連するパケットシーケンスなど、パケットおよび／またはトラヒックフローのサービス品質の様々な態様を制御する様々な追加モジュール１９３２〜１９５４を含むことができる。実施形態によっては、トラヒック制御モジュール１９２８は、アクセスノード１９００、トラヒック制御モジュール１９２８、および／またはトラヒック制御モジュール１９２８に含まれる様々な追加モジュール１９３２〜１９５４のうちの１以上の動作に関連する、パラメータ、状況および／または他の情報などの状態情報を含む。パラメータ設定などの構成情報１９３０は、トラヒック制御モジュール１９２８および／またはトラヒック制御モジュール１９２８に含まれる様々な追加モジュール１９３２〜１９５４の動作を決定し、これに影響を及ぼし、かつ／またはこれを規定する。様々な追加モジュールが含まれるのは、実施形態によっては、トラヒック制御の特定の態様をサポートするのに必要な特定の機能および操作を行うためである。様々な実施形態において、モジュールは、トラヒック制御の機能要件により、必要に応じて省かれて、かつ／または組み合わされ得る。トラヒック制御モジュール１９２８に含まれる各追加モジュールの説明は以下のとおりである。
【００９０】
アドミッション制御モジュール１９３２は、リソース利用度／可用性に関連する情報を維持し、特定のトラヒックフローのサービス品質要件をサポートするのに十分なリソースが利用できるかどうか判定する。アドミッション制御モジュール１９３２によって維持されるリソース可用性情報には、パケットおよび／またはフレーム待ち行列容量、スケジューリング容量、ならびに１以上のトラヒックフローをサポートするのに必要な処理およびメモリ容量などが含まれる。アクセスノード１９００に含まれる制御シグナリングモジュール１９２６および／または他のモジュールは、新しい、または変更されたトラヒックフローをサポートするのに十分なリソースが利用できるかどうか判定するためにアドミッション制御モジュール１９３２に問い合わせることができ、アドミッション制御の判定は、特定のトラヒックフローおよび／または利用可能なリソースのサービス品質の関数である。構成情報１９３０は、次の要求を拒絶する前に割り振られ得るリソースのパーセンテージを指示するアドミッション制御閾値など、アドミッション制御モジュール１９３２の動作に影響を及ぼす、パラメータ設定などの構成情報を含むことができる。
【００９１】
アップリンクリンクスケジューラモジュール１９３４は、無線インターフェースモジュール１９０８を介して１以上の終端ノードからアクセスノードに送られるべきメッセージ、パケット、および／またはフレームなどのデータ情報のための、順序および／またはタイミングなどの送信スケジューリング、ならび情報符号化速度、送信タイムスロット、および／または送信電力などの送信リソースの割り振りに関連する処理を制御する。アップリンクリンクスケジューラモジュール１９３４は、送信のスケジューリングを行い、１以上のトラヒックフローおよび／または１以上の終端ノードと関連付けられるサービス品質要件および／または制約条件の関数として送信リソースを割り振ることができる。構成情報１９３０は、１以上のトラヒックフローおよび／または終端ノードと関連付けられる、優先度、速度限界、待ち時間限度、および／または共用重みなど、アップリンクリンクスケジューラモジュール１９３４の動作に影響を及ぼす構成情報を含むことができる。実施形態によっては、アップリンクリンクスケジューラモジュール１９３４によって行われるスケジューリングおよび／またはリソース割り振り操作は、さらに、通信路条件および電力バジェットなど他の要因の関数である。
【００９２】
ダウンリンクリンクスケジューラモジュール１９３６は、無線インターフェースモジュール１９０８を介してアクセスノード１９００から１以上の終端ノードに送られるべき、メッセージ、パケット、および／またはフレームなどのデータ情報のための、順序および／またはタイミングなどの送信スケジューリング、ならびに情報符号化速度、送信タイムスロット、および／または送信電力などの送信リソースの割り振りに関連する処理を制御する。ダウンリンクリンクスケジューラモジュール１９３６は、送信をスケジューリングし、１以上のトラヒックフローおよび／または１以上の終端ノードと関連付けられるサービス品質要件および／または制約条件の関数として送信リソースを割り振ることができる。構成情報１９３０は、１以上のトラヒックフローおよび／または終端ノードと関連付けられる、優先度、速度限界、待ち時間限度、および／または共用重みなど、ダウンリンクリンクスケジューラモジュール１９３６の動作に影響を及ぼす構成情報を含むことができる。実施形態によっては、ダウンリンクリンクスケジューラモジュール１９３６および／またはリソース割り振りの操作は、さらに、通信路条件および電力バジェットなど他の要因の関数である。
【００９３】
アップリンクリンクトラヒック調整モジュール１９３８は、終端ノードからアクセスノード１９００までなど、無線インターフェースモジュール１９０８を介して受け取られる、メッセージ、パケット、および／またはフレームなどのデータ情報などのための、計測、マーキング、規制などのトラヒック調整に関連する処理を制御する。アップリンクリンクトラヒック調整モジュール１９３８は、１以上のトラヒックフローおよび／または１以上の終端ノードと関連付けられるサービス品質要件および／または制約条件の関数として、計測、マーキング、および／または規制などのトラヒック調整を行うことができる。構成情報１９３０は、１以上のトラヒックフローおよび／または終端ノードと関連付けられる速度限界および／またはマーキング値など、アップリンクリンクトラヒック調整モジュール１９３８の動作に影響を及ぼす構成情報を含むことができる。
【００９４】
アップリンクリンク分類モジュール１９４０は、終端ノードからアクセスノード１９００までなど、無線インターフェースモジュール１９０８を介して受け取られるメッセージ、パケット、および／またはフレームなどのデータ情報を、アップリンクリンクトラヒック調整モジュール１９３８によって処理される前に特定のトラヒックフローに属するものとして識別することに関連する処理を制御する。実施形態によっては、無線通信インターフェースモジュール１９０８を介して受け取られるメッセージ、パケット、および／またはフレームは、１以上のヘッダおよび／またはペイロードフィールドの検査に基づき、アップリンクリンク分類モジュール１９４０によって様々なトラヒックフローのうちの１つに属するものとして分類される。アップリンクリンク分類モジュール１９４０による分類の結果は、アップリンクリンクトラヒック調整モジュール１９３８によるメッセージ、パケット、および／またはフレームなどの分類されたデータ情報の処理に影響を及ぼすことができ、例えば、これらの結果は、メッセージ、パケット、および／またはフレームが関連付けられる特定のデータ構造または状態機械を決定し、さらに、計測、マーキング、および／または規制といった後続の処理にも影響を及ぼす。構成情報１９３０は、メッセージ、パケット、および／またはフレームなどのデータ情報を、１以上のトラヒックフローに属するものとして関連付けるのに使用される基準を規定する１以上の分類フィルタ規則のセットなど、アップリンクリンク分類モジュール１９４０の動作に影響を及ぼす構成情報を含むことができる。
【００９５】
アップリンクリンクＬＬＣ（ＡＲＱ）モジュール１９４２は、終端ノードからアクセスノード１９００までなどの、無線通信インターフェースモジュール１９０８を介したパケットおよび／またはフレームなどのデータ情報の受信に関連するＬＬＣ層処理を制御する。アップリンクリンクＬＬＣ（ＡＲＱ）モジュール１９４２は、紛失パケットまたはフレームの再送信など、ＡＲＱ機能と関連付けられる処理を含む。実施形態によっては、アップリンクリンクＬＬＣ（ＡＲＱ）モジュール１９４２はさらに、型フィールドによるマルチプロトコル多重化／逆多重化やチェックサムフィールドによる誤り検出などの追加機能を提供する、パケットなどの上位層メッセージをカプセル化するＬＬＣヘッダおよび／またはトレーラに関連する処理を含む。また、アップリンクリンクＬＬＣ（ＡＲＱ）モジュール１９４２は、アップリンクリンクＰＨＹ／ＭＡＣモジュール１９４４によって受け取られるフレームの、パケットなどの上位層メッセージへの再アセンブリを行うこともできる。構成情報１９３０は、ＡＲＱウィンドウサイズ、最大再送信回数、廃棄タイマなど、アップリンクリンクＬＬＣ（ＡＲＱ）モジュール１９４２の動作に影響を及ぼす構成情報を含むことができる。
【００９６】
アップリンクリンクＰＨＹ／ＭＡＣモジュール１９４４は、終端ノードからアクセスノード１９００までなどの、無線通信インターフェースモジュール１９０８を介した、パケットおよび／またはフレームなどのデータ情報の受信に関連するＰＨＹ層およびＭＡＣ層処理を制御する。実施形態によっては、アップリンクリンクＰＨＹ／ＭＡＣモジュール１９４４の動作は、メッセージ、パケット、またはフレームなどのデータ情報の受信を調整するための、信号やメッセージなどの制御情報の送信と受信両方を含む。構成情報１９３０は、受信に使用されるべき周波数、帯域、通信路、拡散符号またはホッピング符号、アクセスノード１９００と関連付けられる識別子など、アップリンクリンクＰＨＹ／ＭＡＣモジュール１９４４の動作に影響を及ぼす構成情報を含むことができる。
【００９７】
ダウンリンクリンク分類モジュール１９４６は、メッセージ、パケット、および／またはフレームなどのデータ情報を、アクセスノード１９００から終端ノードまでなど、無線通信インターフェースモジュール１９０８を介して送られる前に特定のトラヒックフローに属するものとして識別することに関連する処理を制御する。実施形態によっては、無線通信インターフェースモジュール１９０８を介して送られるべきメッセージ、パケット、および／またはフレームは、１以上のヘッダおよび／またはペイロードフィールドの検査に基づき、ダウンリンクリンク分類モジュール１９４６によって様々なトラヒックフローの１つに属するものと分類される。ダウンリンクリンク分類モジュール１９４６による分類の結果は、ダウンリンクリンク待ち行列管理モジュール１９５０ならびに他のモジュール１９４８、１９５２、および１９５４による、メッセージ、パケット、および／またはフレームなどの分類されたデータ情報の処理に影響を及ぼすことができ、例えば、これらの結果は、メッセージ、パケット、および／またはフレームが格納のために関連付けられる特定の待ち行列を決定し、さらにスケジューリングなどの後続処理にも影響を及ぼす。構成情報１９３０は、メッセージ、パケット、および／またはフレームなどのデータ情報を、１以上のトラヒックフローに属するものとして関連付けるのに使用される基準を規定する１以上の分類フィルタ規則のセットなど、ダウンリンクリンク分類モジュール１９４６の動作に影響を及ぼすパラメータ設定などの構成情報を含むことができる。
【００９８】
ダウンリンクリンクトラヒック調整モジュール１９４８は、アクセスノード１９００から終端ノードまでなど、無線インターフェースモジュール１９０８を介して送られるべき、メッセージ、パケット、および／またはフレームなどのデータ情報のための、計測、マーキング、規制などのトラヒック調整に関連する処理を制御する。ダウンリンクリンクトラヒック調整モジュール１９４８は、１以上のトラヒックフローおよび／または１以上の終端ノードと関連付けられるサービス品質要件および／または制約条件の関数として、計測、マーキング、および／または規制などのトラヒック調整を行うことができる。構成情報１９３０は、１以上のトラヒックフローおよび／または終端ノードと関連付けられる、速度限界および／またはマーキング値など、ダウンリンクリンクトラヒック調整モジュール１９４８の動作に影響を及ぼす構成情報を含むことができる。
【００９９】
ダウンリンクリンク待ち行列管理モジュール１９５０は、アクセスノード１９００から終端ノードまでなど、無線通信インターフェースモジュール１９０８を介して送られるべき、メッセージ、パケット、および／またはフレームなどのデータ情報の格納に関連する情報を維持し、処理を制御する。ダウンリンクリンク待ち行列管理モジュールは、トラヒックフローごとに、送信を待っているデータ情報の格納を制御し、送信を待っているデータ情報に関する状態情報を維持することができ、例えば、各トラヒックフローと関連付けられるパケットが別々の待ち行列に格納される。実施形態によっては、ダウンリンクリンク待ち行列管理モジュール１９５０は、先頭破棄、末尾破棄、およびＲＥＤなどといった様々なＡＱＭ機構など、様々な待ち行列管理法および／または機能をサポートする。構成情報１９３０は、待ち行列限度、廃棄戦略、および／または１つもしくは複数のトラヒックフローと関連付けられたＡＱＭ閾値など、ダウンリンクリンク待ち行列管理モジュール１９５０の動作に影響を及ぼす構成情報を含むことができる。
【０１００】
ダウンリンクリンクＬＬＣ（ＡＲＱ）モジュール１９５２は、アクセスノード１９００から終端ノードまでなど、無線通信インターフェースモジュール１９０８を介したメッセージ、パケット、および／またはフレームなどのデータ情報の送信に関連するＬＬＣ層処理を制御する。ダウンリンクリンクＬＬＣ（ＡＲＱ）モジュール１９５２は、紛失パケットまたはフレームの再送信など、ＡＲＱ機能と関連付けられる処理を含む。実施形態によっては、ダウンリンクリンクＬＬＣ（ＡＲＱ）モジュール１９５２はさらに、型フィールドによるマルチプロトコル多重化／逆多重化やチェックサムフィールドの利用による誤り検出などの追加機能を提供するための、パケットなどの上位層メッセージへのＬＬＣヘッダおよび／またはトレーラの追加に関連する処理を含む。また、ダウンリンクリンクＬＬＣ（ＡＲＱ）モジュール１９５２は、パケットなどの上位層メッセージの、ダウンリンクリンクＰＨＹ／ＭＡＣモジュール１９５４によって送信される、フレームなどの複数の下位部分への細分化も行うことができる。構成情報１９３０は、ＡＲＱウィンドウサイズ、最大再送信回数、廃棄タイマなど、ダウンリンクリンクＬＬＣ（ＡＲＱ）モジュール１９５２の動作に影響を及ぼす構成情報を含むことができる。
【０１０１】
ダウンリンクリンクＰＨＹ／ＭＡＣモジュール１９５４は、アクセスノード１９００から終端ノードまでなど、無線通信インターフェースモジュール１９０８を介したメッセージ、パケット、および／またはフレームなどのデータ情報の送信に関連するＰＨＹ層およびＭＡＣ層の処理を制御する。実施形態によっては、ダウンリンクリンクＰＨＹ／ＭＡＣモジュール１９５４の動作は、メッセージ、パケット、またはフレームなどのデータ情報の送信を調整するための、信号やメッセージなどの制御情報の送信と受信両方を含む。構成情報１９３０は、送信に使用すべき周波数、帯域、通信路、拡散符号またはホッピング符号、アクセスノード１９００と関連付けられる識別子など、ダウンリンクリンクＰＨＹ／ＭＡＣモジュール１９５４の動作に影響を及ぼす構成情報を含むことができる。
【０１０２】
図２０に、例示的終端ノード１８００と例示的アクセスノード１９００に含まれる様々なモジュールの間のシグナリングおよびトラヒックフローの例を示す。図２０の終端ノード１８００と図２０のアクセスノード１９００は、それぞれ、図１８の終端ノード１８００と図１９のアクセスノード１９００を簡略化した図である。図２０の例には、メッセージ、パケット、またはフレームのシーケンスを備えるトラヒックフローなどのデータ情報を送信し、受信するアプリケーションモジュール１８２８が示されている。図１７の例示的システムの状況では、図２０の終端ノード１８００は、図１７に示す終端ノード１７０２〜１７１２のいずれか１つとすることができ、図２０の終端ノード１８００に含まれるアプリケーションモジュール１８２８は、システム内の別のノード、例えば、図１７に示すような別の終端ノード１７０２〜１７１２やアプリケーションサーバノード１７２６などとデータ情報を交換し得る。図２０および以下の説明では、図２０の終端ノード１８００がデータ情報を交換するノードを、対応ノードと呼ぶ。
【０１０３】
終端ノード１８００内のアプリケーションモジュール１８２８から対応ノードに送られたメッセージ、パケット、またはフレームのシーケンスを備えるトラヒックフローなどのデータ情報は、処理のために終端ノード１８００に含まれる一連のモジュール１８３８〜１８４４を通ることが一連の矢印２００２〜２００８によって示されており、この後、データ情報は、無線通信インターフェースモジュール１８０４などを介して、終端ノード１８００からアクセスノード１９００に送られる。無線通信インターフェースモジュール１９０８を介するなど、アクセスノード１９００による受信に続いて、終端ノード１８００内のアプリケーションモジュール１８２８から対応ノードに送られたメッセージ、パケット、またはフレームのシーケンスを含むトラヒックフローなどのデータ情報は、経路指定情報に従ってネットワーク／相互接続網インターフェースモジュール１９０６を介してアクセスノードに接続されている中間ノードに宛先指定されるなど、アクセスノード１９００から対応ノードに向けて転送される前に、処理のためにアクセスノード１９００に含まれる一連のモジュール１９３８〜１９４４を通ることが、一連の矢印２０１０〜２０１８によって示されている。
【０１０４】
対応ノードから終端ノード１８２８内のアプリケーションモジュール１８２８に送られたメッセージ、パケット、またはフレームのシーケンスを含むトラヒックフローなどのデータ情報は、ネットワーク／相互接続網インターフェースモジュール１９０６を介するなど、アクセスノード１９００によって受け取られ、次いで、処理のためにアクセスノード１９００に含まれる一連のモジュール１９４６〜１９５４を通ることが一連の矢印２０２０〜２０２８によって示されており、この後データ情報は、無線通信インターフェースモジュール１９０８などを介して、アクセスノード１９００から終端ノード１８００に送られる。無線通信インターフェースモジュール１８０４を介するなど、終端ノード１８００による受信に続いて、対応ノードから終端ノード１８００内のアプリケーションモジュール１８２８に送られたメッセージ、パケット、またはフレームのシーケンスを含むトラヒックフローなどのデータ情報は、終端ノード１８００内のアプリケーションモジュール１８２８に渡される前に、処理のために終端ノード１８００に含まれる一連のモジュール１８４６および１８４８を通ることが一連の矢印２０３０〜２０３４によって示されている。
【０１０５】
トラヒックフローなどのデータ情報の交換に加えて、図２０には、シグナリングフローおよび／または通信インターフェースなどの制御情報の交換も示されている。詳細には、図２０の例では、アクセスノード１９００に含まれる制御シグナリングモジュール１９２６とトラヒック制御モジュール１９２８の間での制御情報の交換が示されている。同様に、図２０の例には、終端ノード１８００に含まれる制御シグナリングモジュール１８２６とトラヒック制御モジュール１８３０の間の制御情報の交換も示されている。アクセスノード１９００においても終端ノード１８００においても、図示のようなモジュール間の制御情報の交換により、アクセスノード１９００／終端ノード１８００内の個々の制御シグナリングモジュール１９２６／１８２６は、終端ノード１８００内のアプリケーションモジュール１８２８との間で、トラヒックフローなどのデータ情報の適正なサービス品質処理を提供するのに必要とされるように、個々のトラヒック制御モジュール１９２８／１８３０に含まれる様々なモジュールの構成および／または動作を設定、変更、および／または監視するなどの影響を及ぼすことが可能になる。
【０１０６】
また、シグナリングフローおよび／または通信インターフェースなどの制御情報の交換は、ａ）別のノードとアクセスノード１９００内の制御シグナリングモジュール１９２６との間、ｂ）終端ノード１８００内のアプリケーションモジュール１８２８と終端ノード１８００内の制御シグナリングモジュール１８２６との間、およびｃ）アクセスノード１９００内の個々の制御シグナリングモジュールと終端ノード１８００との間にも示されている。シグナリングフローおよび／または通信インターフェースなどの制御情報の交換は、ａ）アクセス制御ノード１７２０および／もしくはアプリケーションサーバノード１７２６など１以上の別のノード、ｂ）終端ノード１８００内のアプリケーションモジュール１８２８、またはｃ）１以上の別のノードと終端ノード１８００内の終端ノード１８００内のアプリケーションモジュール１８２８の組み合わせが、アクセスノード１９００と終端ノード１８００両方のトラヒック制御モジュール１９２８／１８３０の構成および／または動作に影響を及ぼすことを可能にする。本発明の様々な実施形態は、必要に応じて図示する制御情報交換の全部またはほんの一部だけをサポートしてもよく、サポートする。
【０１０７】
以上の説明には１以上の実施形態の例が含まれている。当然ながら、前述の実施形態を説明する目的で、構成要素または方法の想定されるあらゆる組み合わせを説明することは不可能であり、様々な実施形態の別の多くの組み合わせおよび置換が可能であることを当分野の技術者は理解するであろう。したがって、前述の実施形態は、添付の特許請求の範囲の精神および範囲内に含まれるかかるすべての変更、改変および変形を包含するものである。さらに、詳細な説明または特許請求の範囲で「含む（includes）」という語が使用される限りにおいて、かかる語は、「備える（comprising）」という語が請求項において移行語として用いられるときに解釈されるのと同様に含むものであることが意図されている。
【図面の簡単な説明】
【０１０８】
【図１】通信環境におけるローミングのためのプロファイル変更を例示するために設けられるシステムを示すハイレベルブロック図である。
【図２】ネットワークアクセスシステムの例を示すブロック図である。
【図３】認証許可システムの例を示すブロック図である。
【図４】認証許可システムの例を示すブロック図である。
【図５】プロファイルの内容の例を示す図である。
【図６】加入者サービスセットのフォーマットの例を示す図である。
【図７】サービスクラスタイプのフォーマットの例を示す図である。
【図８】加入者サービスタイプの例を示す図である。
【図９】一般的なローミングの例を示す図である。
【図１０】仮想ホーミングの例を示す図である。
【図１１】仮想ホーミングおよびローミングの例を示す図である。
【図１２】ローミングおよびプロファイル処理の方法を示す代表的流れ図である。
【図１３】ローミング動作時にプロファイルサポートを提供するシステムを示すハイレベルブロック図である。
【図１４】ローミング動作時にプロファイルサポートを提供するシステムを示すハイレベルブロック図である。
【図１５】プロファイル変更をサポートすることのできるネットワークを例示するために設けられるシステムを示すブロック図である。
【図１６】プロファイルおよび／またはＱｏＳパラメータを処理する装置を示すブロック図である。
【図１７】通信システムの例を示す図である。
【図１８】終端ノードの例を示す図である。
【図１９】アクセスノードの例を示す図である。
【図２０】アクセスノードの例とやりとりする終端ノードの例を示す図である。
【図１】
2009536006.tif 000003
【図２】
2009536006.tif 000004
【図３】
2009536006.tif 000005
【図４】
2009536006.tif 000006
【図５】
2009536006.tif 000007
【図６】
2009536006.tif 000008
【図７】
2009536006.tif 000009
【図８】
2009536006.tif 000010
【図９】
2009536006.tif 000011
【図１０】
2009536006.tif 000012
【図１１】
2009536006.tif 000013
【図１２】
2009536006.tif 000014
【図１３】
2009536006.tif 000015
【図１４】
2009536006.tif 000016
【図１５】
2009536006.tif 000017
【図１６】
2009536006.tif 000018
【図１７】
2009536006.tif 000019
【図１８】
2009536006.tif 000020
【図１９】
2009536006.tif 000021
【図２０】
2009536006.tif 000022
【国際調査報告】
2009536006.tif 000023
2009536006.tif 000024